(57)【要約】  洗浄液を貯留する洗浄槽内に設置された洗浄物を、超音波を用いて洗浄する洗浄装置は、洗浄槽内に超音波を出力する超音波発生器と、気泡を発生し、気泡を洗浄液に付加する気泡発生器と、超音波を検知する検知器と、超音波の出力値を、気体性キャビテーションが生じる第１出力値と蒸気性キャビテーションが生じる第２出力値との間で切り替える制御を行う制御器とを備え、超音波発生器は、第２出力値を有する超音波を気泡発生器が付加した気泡に対して出力し、制御器の制御に基づき、超音波の出力値を第２出力値から切り替え、第１出力値を有する超音波を洗浄物に対して出力する。
2017104194.tif 000002
【特許請求の範囲】
【請求項１】
洗浄液を貯留する洗浄槽内の前記洗浄液の液面と前記洗浄槽の底面との間に設置された洗浄物を、超音波を用いて洗浄する洗浄装置において、
前記洗浄槽内に前記超音波を出力する超音波発生器と、
気泡を発生し、前記気泡を前記洗浄液に付加する気泡発生器と、
前記超音波を検知する検知器と、
前記超音波の出力値を、気体性キャビテーションが生じる第１出力値と蒸気性キャビテーションが生じる第２出力値との間で切り替える制御を行う制御器と
を備え、
前記超音波発生器は、
前記第２出力値を有する前記超音波を前記気泡発生器が付加した前記気泡に対して出力し、
前記制御器の制御に基づき、前記超音波の出力値を前記第２出力値から切り替え、前記第１出力値を有する前記超音波を前記洗浄物に対して出力する
洗浄装置。
【請求項２】
前記検知器は、
前記超音波の定在波の腹位置および節位置を検知し、
前記制御器は、
前記腹位置における前記超音波の特性によって、前記超音波発生器の出力を制御する
請求項１に記載の洗浄装置。
【請求項３】
前記制御器は、
設定時間だけ、前記超音波の出力を前記第２出力値に設定し、
前記設定時間の経過後に、前記超音波の出力を前記第１出力値に設定し、
前記超音波の周波数を設定して前記定在波の前記腹位置および前記節位置を変位させる
請求項１に記載の洗浄装置。
【請求項４】
前記第１出力値は、前記超音波の定在波の腹位置において蒸気性キャビテーションが発生する出力値を示す閾値以下の値であり、
前記第２出力値は、前記第１出力値より大きく、かつ、前記閾値より大きい値である
請求項１〜３のいずれか一項に記載の洗浄装置。
【請求項５】
前記制御器によって制御され、前記気泡発生器により生成される前記気泡の量および気泡径の少なくとも一方を制御する吸気制御器をさらに備え、
前記制御器は、
前記検知器で検知された前記超音波の特性に基づき、前記吸気制御器を制御して生成される前記気泡の量および前記気泡径の少なくとも一方を制御する
請求項１〜４のいずれか一項に記載の洗浄装置。
【請求項６】
前記洗浄液は、酸化剤を含有する
請求項１〜５のいずれか一項に記載の洗浄装置。
【請求項７】
前記洗浄物を保持する保持器と、
前記制御器によって制御され、前記保持器に保持された前記洗浄物の前記洗浄槽内における位置を、前記超音波の進行方向と平行な方向、および前記超音波の進行方向と垂直な方向のうち、少なくともいずれか一方を含む方向に移動可能に制御する位置制御器と
を有する洗浄物制御部をさらに備える
請求項１〜６のいずれか一項に記載の洗浄装置。
【請求項８】
前記制御器は、
前記検知器で検知された前記超音波の特性に基づき、前記定在波の前記腹位置を検知し、
前記保持器に保持された前記洗浄物の位置が前記腹位置となるように前記位置制御器を制御するとともに、前記超音波の出力を前記第１出力値に設定する
ことを特徴とする請求項７に記載の洗浄装置。
【請求項９】
前記制御器は、
前記検知器で検知された前記超音波の特性に基づき、前記定在波の前記節位置を検知し、
前記保持器に保持された前記洗浄物の位置が前記節位置となるように前記位置制御器を制御するとともに、前記超音波の出力を前記第２出力値に設定する
ことを特徴とする請求項７に記載の洗浄装置。
【請求項１０】
前記洗浄液に付加された前記気泡の特性を検知する気泡検知器をさらに備え、
前記制御器は、
前記気泡検知器によって検知された前記気泡の特性に基づき、前記気泡発生器により生成される前記気泡の量および気泡径の少なくとも一方を制御する
請求項５〜９のいずれか一項に記載の洗浄装置。
【請求項１１】
前記洗浄液の液温を検知する温度検知器をさらに備え、
前記制御器は、
前記温度検知器によって検知された前記洗浄液の温度に基づき、前記洗浄液の温度を制御する
請求項５〜１０のいずれか一項に記載の洗浄装置。
【請求項１２】
洗浄液を貯留する洗浄槽内の前記洗浄液の液面と前記洗浄槽の底面との間に設置された洗浄物を、超音波を用いて洗浄する洗浄方法において、
前記洗浄槽内に前記超音波を出力する超音波発生ステップと、
気泡を発生し、前記気泡を前記洗浄液に付加する気泡発生ステップと、
前記超音波の出力値を、気体性キャビテーションが生じる第１出力値に設定する第１設定ステップと、
前記超音波の出力値を、蒸気性キャビテーションが生じる第２出力値に設定する第２設定ステップと、
前記第２出力値を有する前記超音波を前記気泡に対して出力する第１出力ステップと、
設定した前記第２出力値を前記第１出力値に切り替える切り替えステップと、
前記第１出力値を有する前記超音波を前記洗浄物に対して出力する第２出力ステップと
を有する
洗浄方法。
【請求項１３】
処理槽で処理される被処理水を分離膜で分離する膜分離バイオリアクタにおいて、
気泡を発生して前記分離膜に散気を行う散気器と、
前記処理槽内に超音波を出力する超音波発生器と、
前記超音波を検知する検知器と、
前記超音波の出力値を、気体性キャビテーションが生じる第１出力値と蒸気性キャビテーションが生じる第２出力値との間で切り替える制御を行う制御器と
を備え、
前記超音波発生器は、
前記第２出力値を有する前記超音波を前記気泡に対して出力し、
前記制御器の制御に基づき、前記超音波の出力値を前記第２出力値から切り替え、前記第１出力値を有する前記超音波を前記分離膜に対して出力する
膜分離バイオリアクタ。
【発明の詳細な説明】
【技術分野】
【０００１】
本発明は、洗浄槽内に設置された洗浄物を洗浄する洗浄装置および洗浄方法、並びに膜分離バイオリアクタに関するものである。
【背景技術】
【０００２】
近年、水処理、洗浄、化学、医療などの様々な分野で微細気泡が注目されている。微細気泡の中でも、特に、気泡の直径が１ｍｍ未満のものはマイクロバブルと呼ばれ、上述した様々な分野におけるプロセスに応用されている。【０００３】
このマイクロバブルを含む微細気泡は、直径が１ｍｍ以上の通常の気泡と比較して、液中での浮力が小さく、長時間にわたって液中に滞留し続けることができる。また、微細気泡は、気液界面に汚れを吸着する性質を有しており、特に、気泡の直径が１００μｍ以下の微細気泡は、洗浄効果がより高いとされている。そのため、洗浄分野においては、汚れを吸着する微細気泡の性質を応用して洗浄物を洗浄する方法が提案され、実用化されている。【０００４】
一方、産業における洗浄では、従来から超音波が用いられており、超音波の振動で発生する気泡のキャビテーションを利用することにより、機械加工部品、半導体等の洗浄物を洗浄することができる。例えば、機械加工部品に付着した加工油を洗浄する場合には、超音波と洗浄剤とを併用するのが一般的であるが、近年では、環境破壊の問題から洗浄剤を削減する傾向にある。洗浄剤を削減した場合には、洗浄力が低下するので、洗浄力を確保するために超音波強度を高くする必要がある。【０００５】
しかしながら、超音波強度を高めてアルミニウムや銅などの金属部品を洗浄した場合、超音波で発生するキャビテーションにより、エロージョンと呼ばれる衝撃圧による部品表面への損傷が発生してしまう。また、半導体の洗浄工程においても、超音波によってウェハ上のパターンが倒れるといった損傷が発生する。【０００６】
これに対して、微細気泡を用いた洗浄では、洗浄剤の使用量を削減しつつ、洗浄物の損傷を軽減することができるが、十分な洗浄力を確保することが困難である。【０００７】
そこで、洗浄剤の使用量を削減しながら洗浄物の損傷を軽減するとともに、十分な洗浄力を確保するための様々な方法が提案されている。
例えば、特許文献１には、超音波および微細気泡を用いた洗浄方法が記載されている。この方法では、微細気泡を含んだ水を洗浄槽内に満たし、洗浄槽内に超音波を発生させて微細気泡を強制的に振動させることにより、洗浄物の表面に付着した汚れを擦り落とすことができる。【０００８】
また、特許文献２には、微細気泡を洗浄槽内に均一に分散させ、洗浄物を損傷させることなく洗浄力を向上させる方法が記載されている。
さらに、特許文献３には、洗浄槽に設けられた音圧センサおよび温度センサの検出値に基づいて超音波出力を制御し、超音波による洗浄物へのダメージを軽減しながら洗浄する方法が記載されている。
【先行技術文献】
【特許文献】
【０００９】
【特許文献１】特開平６−３２０１２４号公報
【特許文献２】特開２０１３−８６０８９号公報
【特許文献３】特開平１０−２３５３０３号公報
【発明の概要】
【発明が解決しようとする課題】
【００１０】
しかしながら、特許文献１に記載の方法では、超音波強度を測定することができないため、洗浄物へのダメージを制御することができない。また、ダメージを抑制するために超音波出力を低く設定すると、洗浄力が低下してしまうという問題点があった。【００１１】
特許文献２に記載の方法では、洗浄槽内に微細気泡を均一に分散させることができるが、超音波出力を制御しないため、超音波による洗浄力の均一化、および超音波による洗浄物へのダメージの発生を解消することができないという問題点があった。【００１２】
特許文献３に記載の方法では、洗浄槽内の音圧に基づいて、洗浄物へのダメージが発生しないように超音波出力を調整することができる。しかしながら、洗浄槽内の音圧の低い部分、すなわち超音波が作用しない部分では、洗浄力が低下してしまうという問題点があった。【００１３】
ここで、特許文献２および特許文献３に記載の方法を組み合わせることにより、洗浄槽内に微細気泡を均一に分散させつつ、洗浄物へのダメージを抑制することができる。しかしながら、この場合には、洗浄槽内に発生する超音波の定在波における音圧の低い部分での洗浄力を確保することができないという問題点があった。【００１４】
また、微細気泡を併用するものの、洗浄物へのダメージが発生しない超音波出力としているため、音圧の低い部分において気泡を破砕して微細化することができない。さらに、微細気泡を洗浄槽内に均一に分散させるようにするため、超音波によって微細気泡を捕捉できないという問題点があった。【００１５】
そこで、本発明は、上記従来の技術における問題点に鑑みてなされたものであって、洗浄物の損傷を抑制しつつ、洗浄物を均一に洗浄することができる洗浄装置および洗浄方法、並びに膜分離バイオリアクタを提供することを目的とする。
【課題を解決するための手段】
【００１６】
本発明の洗浄装置は、洗浄液を貯留する洗浄槽内の前記洗浄液の液面と前記洗浄槽の底面との間に設置された洗浄物を、超音波を用いて洗浄する洗浄装置において、前記洗浄槽内に前記超音波を出力する超音波発生器と、気泡を発生し、前記気泡を前記洗浄液に付加する気泡発生器と、前記超音波を検知する検知器と、前記超音波の出力値を、気体性キャビテーションが生じる第１出力値と蒸気性キャビテーションが生じる第２出力値との間で切り替える制御を行う制御器とを備え、前記超音波発生器は、前記第２出力値を有する前記超音波を前記気泡発生器が付加した前記気泡に対して出力し、前記制御器の制御に基づき、前記超音波の出力値を前記第２出力値から切り替え、前記第１出力値を有する前記超音波を前記洗浄物に対して出力するものである。【００１７】
また、本発明の洗浄方法は、洗浄液を貯留する洗浄槽内の前記洗浄液の液面と前記洗浄槽の底面との間に設置された洗浄物を、超音波を用いて洗浄する洗浄方法において、前記洗浄槽内に前記超音波を出力する超音波発生ステップと、気泡を発生し、前記気泡を前記洗浄液に付加する気泡発生ステップと、前記超音波の出力値を、気体性キャビテーションが生じる第１出力値に設定する第１設定ステップと、前記超音波の出力値を、蒸気性キャビテーションが生じる第２出力値に設定する第２設定ステップと、前記第２出力値を有する前記超音波を前記気泡に対して出力する第１出力ステップと、設定した前記第２出力値を前記第１出力値に切り替える切り替えステップと、前記第１出力値を有する前記超音波を前記洗浄物に対して出力する第２出力ステップとを有するものである。【００１８】
さらに、本発明の膜分離バイオリアクタは、処理槽で処理される被処理水を分離膜で分離する膜分離バイオリアクタにおいて、気泡を発生して前記分離膜に散気を行う散気器と、前記処理槽内に超音波を出力する超音波発生器と、前記超音波を検知する検知器と、前記超音波の出力値を、気体性キャビテーションが生じる第１出力値と蒸気性キャビテーションが生じる第２出力値との間で切り替える制御を行う制御器とを備え、前記超音波発生器は、前記第２出力値を有する前記超音波を前記気泡に対して出力し、前記制御器の制御に基づき、前記超音波の出力値を前記第２出力値から切り替え、前記第１出力値を有する前記超音波を前記分離膜に対して出力するものである。
【発明の効果】
【００１９】
以上のように、本発明によれば、洗浄物と定在波の腹位置および節位置との位置関係に基づき超音波出力を調整することにより、洗浄物の損傷を抑制しつつ、洗浄物を均一に洗浄することが可能になる。
【図面の簡単な説明】
【００２０】
【図１】実施の形態１に係る洗浄装置の構成の一例を示す概略図である。
【図２】図１の洗浄装置における洗浄槽内の超音波の音圧分布について説明するための概略図である。
【図３】図１の洗浄装置による洗浄処理の流れの一例を示すフローチャートである。
【図４】図１の洗浄装置における、洗浄物が定在波の腹位置および節位置のいずれか一方に設置された場合の洗浄方法について説明するための概略図である。
【図５】図１の洗浄装置における、洗浄物の設置位置に定在波の腹位置および節位置が含まれる場合の洗浄方法について説明するための概略図である。
【図６】微細気泡の状態を検証する検証装置の構成の一例を示す概略図である。
【図７】図６の検証装置を用いて観測された微細気泡の分布を示すグラフである。
【図８】図１の洗浄装置を用いて洗浄物を洗浄した場合の第１の洗浄結果を示す概略図である。
【図９】図１の洗浄装置を用いて洗浄物を洗浄した場合の第２の洗浄結果を示す概略図である。
【図１０】図１の洗浄装置を用いてサンプルに対して超音波を照射した場合の、超音波によるダメージ評価結果を示す概略図である。
【図１１】実施の形態１の実施例１に係る洗浄装置の構成の一例を示す概略図である。
【図１２】実施の形態１の実施例１に係る洗浄装置の構成の他の例を示す概略図である。
【図１３】実施の形態１の実施例２に係る洗浄装置の構成の一例を示す概略図である。
【図１４】実施の形態１の実施例３に係る洗浄装置の構成の一例を示す概略図である。
【図１５】実施の形態２に係る洗浄装置の構成の一例を示す概略図である。
【図１６】実施の形態３に係る洗浄装置の構成の一例を示す概略図である。
【図１７】実施の形態４に係る洗浄装置の構成の一例を示す概略図である。
【図１８】実施の形態５に係る洗浄装置の構成の一例を示す概略図である。
【図１９】実施の形態６に係る洗浄装置の構成の一例を示す概略図である。
【図２０】実施の形態７に係る洗浄装置の構成の一例を示す概略図である。
【図２１】実施の形態８に係る洗浄装置の構成の一例を示す概略図である。
【発明を実施するための形態】
【００２１】
実施の形態１．
以下、本発明の実施の形態１に係る洗浄装置について説明する。
【００２２】
［洗浄装置の構成］
図１は、本実施の形態１に係る洗浄装置１の構成の一例を示す概略図である。
図１に示すように、洗浄装置１は、洗浄槽１０、超音波発生器１１、超音波発振器１２、超音波検知器１３、制御器１４、ポンプ１５、フィルタ１６、微細気泡発生器１７、気体供給源１８を含んで構成される。
【００２３】
洗浄槽１０は、内部に洗浄液２を貯留可能であり、洗浄液２中に配置された洗浄物３を洗浄するものである。
【００２４】
超音波発生器１１は、洗浄槽１０内の底部に設けられる。超音波発生器１１は、後述する超音波発振器１２で設定された周波数、音圧等に基づく超音波を発生し、発生した超音波を、例えば洗浄液２の液面に向かって照射する。
【００２５】
超音波発振器１２は、超音波出力線４を介して超音波発生器１１に接続される。超音波発振器１２は、後述する制御器１４の制御に基づき、超音波発生器１１から発生する超音波の周波数、音圧等を設定する。
【００２６】
超音波検知器１３は、洗浄槽１０内に設けられる。超音波検知器１３は、超音波発生器１１から照射された超音波の少なくとも音圧を含む超音波の特性を検知する。なお、超音波検知器１３による検知例は、これに限られず、超音波検知器１３は、例えば、超音波エネルギー、音圧、周波数等の複数の超音波に関する特性を同時に、あるいは少なくとも１つ以上を検知してもよい。
【００２７】
制御器１４は、制御線５を介して超音波発振器１２および超音波検知器１３に接続される。制御器１４は、超音波検知器１３で検知された超音波のエネルギー、音圧、周波数等の超音波に関する情報に基づき、超音波発振器１２を制御する。
【００２８】
ポンプ１５は、液配管６を介して洗浄槽１０に接続され、洗浄槽１０内の洗浄液２を循環させるために設けられる。
フィルタ１６は、液配管６を介してポンプ１５に接続される。フィルタ１６は、例えば、液配管６内を流通する洗浄液２に含まれる、洗浄物３に付着していた汚れ等の異物を除去するために設けられる。
【００２９】
微細気泡発生器１７は、液配管６を介してフィルタ１６および洗浄槽１０に接続される。また、微細気泡発生器１７は、吸気管７を介して後述する気体供給源１８が接続される。
微細気泡発生器１７は、気体供給源１８から供給された気体を用いて微細気泡を生成し、液配管６を流通する洗浄液２に生成した微細気泡を付加する。微細気泡発生器１７は、流入した洗浄液２に対して微細気泡を付加した後、この洗浄液２を洗浄槽１０に流出させる。
【００３０】
なお、本発明における微細気泡の気泡径は、例えば、直径が１ｍｍ以下であると好ましい。これは微細気泡の直径を１ｍｍ以下とすることにより、半導体、電子部品、医療器具等の様々な洗浄物の洗浄に適用可能であるからである。
また、微細気泡発生器１７は、例えばエジェクタ方式であると好ましい。これは、動力が不要、安価、小型、設置が容易といった利点があり、また、吸気量、気泡径等の調整が容易であるからである。
【００３１】
気体供給源１８は、吸気管７を介して微細気泡発生器１７に接続され、空気等の気体を微細気泡発生器１７に対して供給する。
【００３２】
［超音波の音圧分布］
次に、洗浄槽１０内に照射された超音波の音圧分布について説明する。
図２は、図１の洗浄装置１における洗浄槽１０内の超音波の音圧分布について説明するための概略図である。
【００３３】
図２に示すように、洗浄槽１０内の底面に配置された超音波発生器１１から超音波８１を液面８０方向に照射すると、洗浄液２中には、鉛直方向に音圧が最も高い位置と音圧が最も低い位置とが一定の距離間隔で交互に分布する定在波と呼ばれる波が発生する。
【００３４】
具体的には、まず、超音波発生器１１から液面８０方向に超音波８１が照射され、この超音波８１のほとんど、例えば９９％以上が洗浄液２の液面８０で反射して超音波発生器１１方向に進行する。次に、超音波発生器１１方向に進行してきた超音波８１がさらに超音波発生器１１で反射し、液面８０方向に再度進行する。そして、超音波発生器１１から液面８０方向に進行する超音波８１と、液面８０から超音波発生器１１方向に進行する超音波８１とが互いに干渉して合成される。
このようにして、超音波発生器１１から照射された超音波８１による定在波が発生し、洗浄液２中には、鉛直方向に音圧が最も高い位置と音圧が最も低い位置とが一定の距離間隔で交互に分布することになる。
【００３５】
このような定在波において音圧が最も高い位置は、腹位置８２と称される。この腹位置８２では、超音波８１による圧力変動が最大となるため、キャビテーションが発生する。
キャビテーションには、気体性キャビテーションと、蒸気性キャビテーションとが存在する。
【００３６】
気体性キャビテーションは、超音波出力が小さいとき、すなわち超音波８１の圧力変動が小さいときに発生する。気体性キャビテーションは、衝撃波が発生しにくいという効果を有する。
【００３７】
蒸気性キャビテーションは、エネルギーの大きい衝撃波であり、超音波出力が大きいとき、すなわち超音波８１の圧力変動が大きいときに発生する。蒸気性キャビテーションはエネルギーが大きいため、洗浄力は向上するが、洗浄物３へのダメージの原因となる。一方で、蒸気性キャビテーションによる衝撃波は、洗浄液２中に存在する気泡を破砕して微細化する効果を有する。
【００３８】
本実施の形態１では、蒸気性キャビテーションにより生じる衝撃波または超音波エネルギーなどを用いて気泡を微細化する。その後、超音波出力を小さくして気体性キャビテーションに変更し、気体性キャビテーションにより発生する衝撃波または超音波エネルギーと、微細化された気泡とを用いて洗浄を行う。
【００３９】
したがって、定在波の腹位置８２で洗浄物３を洗浄する場合は、洗浄物３へのダメージを抑制するために、気体性キャビテーションを利用する。そのため、超音波出力としての音圧を、腹位置８２で気体性キャビテーションが発生するような出力に設定する。
なお、ここでは、気体性キャビテーションが発生する超音波出力の値と、蒸気性キャビテーションが発生する超音波出力の値との境界値を「キャビテーション閾値」と称する。
【００４０】
一方、定在波において音圧が最も低い位置は、節位置８３と称される。この節位置８３では、超音波８１による圧力変動が最小となるため、蒸気性キャビテーションだけでなく気体性キャビテーションも発生しにくい。そのため、この節位置８３では、キャビテーションによって洗浄物３を洗浄することが困難である。
【００４１】
しかしながら、定在波の節位置８３では、洗浄液２に浮遊する微細気泡等が腹位置８２での圧力に押されることによって集まる。そして、集まった微細気泡等は、節位置８３で捕捉される。
そこで、この節位置８３では、捕捉された微細気泡の汚れを吸着する性質を利用して洗浄物３を洗浄する。そして、節位置８３での洗浄力を向上させるためには、より多くの微細気泡を節位置８３で捕捉する必要がある。
【００４２】
したがって、定在波の節位置８３で洗浄物３を洗浄する場合は、微細気泡発生器１７でより多くの気泡を発生させるとともに、定在波の腹位置８２で微細気泡を衝撃波によってより微細化させる必要がある。そのため、超音波出力としての音圧を、腹位置８２で蒸気性キャビテーションが発生するような出力に設定する。
【００４３】
つまり、本実施の形態１では、蒸気性キャビテーションにより生じる衝撃波または超音波エネルギーなどを用いて気泡を微細化する。その後、超音波出力を小さくして気体性キャビテーションに変更し、気体性キャビテーションにより発生する衝撃波または超音波エネルギーと、微細化された気泡とを用いて洗浄を行う。
【００４４】
このように、定在波の腹位置８２又は節位置８３と洗浄物３の位置との関係に応じて、洗浄物３を洗浄する際の超音波出力を適切に設定することにより、ダメージを抑制しながら洗浄物３を洗浄することができる。
【００４５】
なお、超音波８１は、液面８０と超音波発生器１１との間での反射を繰り返すため、ある時刻に超音波発生器１１から照射された超音波８１は、時間の経過とともにエネルギーが洗浄液２中に散逸して減衰する。しかしながら、超音波８１が超音波発生器１１から連続的に照射されている間は、洗浄液２中の定在波が消失することはない。
【００４６】
また、超音波８１による定在波の腹位置８２、節位置８３、およびキャビテーション閾値は、超音波８１の周波数、洗浄液２の種類、洗浄液２の温度、大気圧などの使用環境によって変動する。そのため、洗浄物３を洗浄する際には、これらの使用環境を実験等によって予め調査しておくと好ましい。
【００４７】
［洗浄装置の動作］
次に、上記構成を有する洗浄装置１の動作について説明する。
概略的には、図１に示すように、洗浄装置１は、超音波発生器１１から超音波８１を発生させることにより、洗浄槽１０内の洗浄液２中に定在波を形成する。次に、洗浄物３が設置された位置における定在波のエネルギー、音圧等を超音波検知器１３で検知する。
そして、検知結果が示す超音波８１に関する情報に基づき、制御器１４で超音波発振器１２を制御し、超音波発生器１１から発生する超音波８１の出力を調整する。
【００４８】
図３は、図１の洗浄装置１による洗浄処理の流れの一例を示すフローチャートである。なお、図３に示すフローチャートにおける各処理は、洗浄装置１内の制御器１４によって行われる。よって、制御器１４は、プロセッサ等を含む制御装置であることが望ましい。
【００４９】
図３に示すように、洗浄装置１は、洗浄開始（ステップＳ１０１）後、微細気泡発生器１７を動作させるなどして、洗浄液２中に微細気泡を供給する（ステップＳ１０２）。洗浄液２中に微細気泡を供給した後、洗浄装置１は、キャビテーション閾値以上である第２出力値を有する超音波を超音波発生器１１から発生させる（ステップＳ１０３）。このステップＳ１０３において、洗浄装置１は、第２出力値を有する超音波によって発生する蒸気性キャビテーションにより、微細気泡をより微細化する。
【００５０】
第２出力値を有する超音波の発生を開始した後、洗浄装置１は、一定時間が経過したか否かを、例えば制御器１４に設けられた図示しない計時部を用いて判断する（ステップＳ１０４）。一定時間が経過したと判断しなかった場合（ステップＳ１０４：ＮＯ）、洗浄装置１は、ステップＳ１０４の判断を繰り返す。
【００５１】
一方、一定時間が経過したと判断した場合（ステップＳ１０４：ＹＥＳ）、洗浄装置１は、超音波発生器１１から発生させる超音波の超音波出力値を第２出力値から第１出力値に変更する（ステップＳ１０５）。第１出力値は、キャビテーション閾値未満である。つまり、洗浄物３に対するダメージが大きい蒸気性キャビテーションに代えて、洗浄物３に対するダメージを抑えた気体性キャビテーションを用いる。
【００５２】
このようにステップＳ１０５によって、洗浄槽１０内に気体性キャビテーションを発生させる超音波の定常波が形成された場合、形成された定常波の節位置８３には、より微細化された微細気泡が捕捉されることになる。したがって、超音波の洗浄力が強い腹位置８２では、超音波の気体性キャビテーションを用いてダメージを抑えた洗浄を行うことができる。また、超音波の洗浄力が弱い節位置８３では、超音波の気体性キャビテーションと補足された微細気泡とを用いて洗浄力を向上させた洗浄を行うことができる。
【００５３】
ユーザが洗浄槽１０内に洗浄物３を投入した後、洗浄装置１は、投入された洗浄物３の範囲に定在波となった超音波の腹位置８２が含まれるか否かを、超音波検知器１３を用いて判断する（ステップＳ１０６）。
【００５４】
洗浄物３が比較的小さい場合、投入された洗浄物３の範囲に定常波となった超音波の腹位置８２が含まれない状況も考えられる。そのような状況では、ダメージを発生させやすい腹位置８２が含まれていないため、ダメージを抑えた気体性キャビテーションではなく、蒸気性キャビテーションを用いて洗浄を行ってもよい。そのため、投入された洗浄物３の範囲に定在波となった超音波の腹位置８２が含まれないと判断した場合（ステップＳ１０６：ＮＯ）、洗浄装置１は、キャビテーション閾値以上である第２出力値を有する超音波を超音波発生器１１から発生させる（ステップＳ１０７）。そして、洗浄装置１は、洗浄物３を洗浄し（ステップＳ１０８）、洗浄を終了する（ステップＳ１０９）。
【００５５】
一方、投入された洗浄物３の範囲に定在波となった超音波の腹位置８２が含まれると判断した場合（ステップＳ１０６：ＹＥＳ）、洗浄装置１は、キャビテーション閾値未満である第１出力値を有する超音波を超音波発生器１１から発生させる。そして、洗浄装置１は、洗浄物３を洗浄し（ステップＳ１０８）、洗浄を終了する（ステップＳ１０９）。
【００５６】
ここで、上述したように、洗浄装置１では、洗浄物３が設置された位置が定在波の腹位置８２または節位置８３であるか否か、および洗浄物３が定在波の腹位置８２または節位置８３の近傍に収まる寸法であるか否かによって、洗浄物３に対する洗浄方法が異なる。
以下では、洗浄装置１による洗浄物３の洗浄方法について、洗浄物３の設置位置および寸法で場合分けして説明する。
【００５７】
［洗浄物が腹位置に設置された場合の洗浄方法］
まず、洗浄物３が定在波の腹位置８２近傍に設置され、洗浄物３の寸法が腹位置８２近傍に収まる場合の洗浄方法について説明する。
なお、超音波８１によって形成される定在波では、腹位置８２および節位置８３が超音波８１の波長の１／４毎に形成される。そのため、この例における「腹位置８２近傍」とは、定在波の腹位置８２を中心として波長の１／８以下となる位置とする。すなわち、「腹位置８２近傍に収まる洗浄物３の寸法」は、超音波８１の波長の１／４以下の寸法とする。
【００５８】
図４（ａ）は、図１の洗浄装置１における、洗浄物３ａが定在波の腹位置８２に設置された場合の洗浄方法について説明するための概略図である。
洗浄物３ａを定在波の腹位置８２で洗浄する場合には、当該位置において上述した蒸気性キャビテーションが発生する可能性があるため、蒸気性キャビテーションの衝撃波により洗浄物３ａにダメージが発生する可能性がある。
そこで、この洗浄方法では、超音波発生器１１から出力される超音波８１の出力を、蒸気性キャビテーションが発生しない出力に設定する。
【００５９】
具体的には、まず、定在波の腹位置８２を予め検知しておく。腹位置８２の検知は、例えば、超音波発生器１１から発生する超音波８１の進行方向と平行な方向に超音波検知器１３を移動させることによって行う。
洗浄装置１では、超音波検知器１３を超音波８１の進行方向と平行な方向に移動させながら、各位置における超音波８１の音圧を検知するとともに、検知した音圧に基づく定在波の圧力変動値を検知する。そして、超音波検知器１３は、検知した値の中から圧力変動値が最大となる位置を検知する。この検知された位置が定在波の腹位置８２となる。このときの圧力変動値を第１検知値とする。
【００６０】
次に、制御器１４は、超音波出力値を蒸気性キャビテーションが発生しない出力値とするため、第１検知値を検知した際の超音波出力値と予め設定されたキャビテーション閾値とを比較する。
超音波出力値がキャビテーション閾値よりも大きい場合、制御器１４は、超音波出力値がキャビテーション閾値以下である第１出力値となるように超音波発振器１２を制御し、超音波発生器１１からの超音波出力を低下させるように設定する。
一方、超音波出力値がキャビテーション閾値よりも小さい場合、制御器１４は、超音波出力値がキャビテーション閾値と等しいか、それよりも小さい第１出力値となるように超音波発振器１２を制御する。なお、この場合には、洗浄力が低下しないように、キャビテーション閾値を超えない程度で大きい値とすることが望ましい。
【００６１】
すなわち、図３のフローチャートに示すように、洗浄装置１は、洗浄浄開始（ステップＳ１０１）後、微細気泡発生器１７を動作させるなどして、洗浄液２中に微細気泡を供給する（ステップＳ１０２）。その後、洗浄装置１は、超音波発生器１１からの超音波出力値を第２出力値に設定する（ステップＳ１０３）。
【００６２】
一定時間経過後（ステップＳ１０４：Ｙｅｓ）、洗浄装置１は、超音波発生器１１からの超音波出力値を第１出力値に設定する（ステップＳ１０５）。その後、洗浄物３を投入し、洗浄装置１は、洗浄物３に定在波の腹位置８２が含まれることを判断する（ステップＳ１０６：Ｙｅｓ）。そして、洗浄装置１は、超音波発生器１１からの超音波出力値を第１出力値に設定したまま、洗浄物３を洗浄（ステップＳ１０８）して洗浄を終了する（ステップＳ１０９）。
【００６３】
このとき、微細気泡発生器１７から発生した洗浄液２中の微細気泡は、定在波の圧力変動により発生する気体性キャビテーションによって、洗浄物３ａの表面で膨張収縮する。また、微細気泡は、膨張収縮しながら、ポンプ１５の動作によって生じる洗浄液２の流れに乗って、あるいは超音波８１の腹位置８２での圧力に押されて移動する。
そして、このような微細気泡の移動により、洗浄物３ａの表面に付着する汚れは、微細気泡の気液界面に吸着されて除去される。また、微細気泡の膨張収縮が洗浄物３ａの表面に対するブラッシング効果となり、洗浄力を向上させることができる。
【００６４】
このように、洗浄物３ａを定在波の腹位置８２に設置した場合には、超音波発生器１１からの超音波出力の値を蒸気性キャビテーションが発生しない第１出力値とすることにより、洗浄物３に対するダメージを抑制して洗浄物３を洗浄することができる。
【００６５】
［洗浄物が節位置に設置された場合の洗浄方法］
次に、洗浄物３が定在波の節位置８３近傍に設置され、洗浄物３の寸法が節位置８３近傍に収まる場合の洗浄方法について説明する。
なお、この例における「節位置８３近傍」とは、定在波の節位置８３を中心として波長の１／８以下となる位置とする。すなわち、「節位置８３近傍に収まる洗浄物３の寸法」は、超音波８１の波長の１／４以下の寸法とする。
【００６６】
図４（ｂ）は、図１の洗浄装置１における、洗浄物３ａが定在波の節位置８３に設置された場合の洗浄方法について説明するための概略図である。
洗浄物３ａを定在波の節位置８３で洗浄する場合には、当該位置におけるキャビテーションが発生し難く、定在波の腹位置８２での洗浄と比較して洗浄力が低い。そこで、この洗浄方法では、定在波の節位置８３で捕捉される微細気泡を利用して洗浄を行う。
【００６７】
具体的には、まず、定在波の節位置８３を予め検知しておく。節位置８３の検知は、腹位置８２の検知と同様に、例えば、超音波発生器１１から発生する超音波８１の進行方向と平行な方向に超音波検知器１３を移動させることによって行う。
超音波検知器１３は、超音波８１の進行方向と平行な方向に移動することにより、各位置における超音波８１の音圧を検知するとともに、検知した音圧に基づく定在波の圧力変動値を検知する。そして、超音波検知器１３は、検知した値の中から圧力変動値が最小となる位置を検知する。この検知された位置が定在波の節位置８３となる。このときの圧力変動値を第２検知値とする。
【００６８】
ここで、微細気泡を用いて洗浄力を向上させるためには、微細気泡をより微細化し、例えば１００μｍ以下の微細気泡を増量させて、より多くの微細気泡を節位置８３で捕捉する必要がある。そのため、この洗浄方法では、定在波の腹位置８２における蒸気性キャビテーションによって生じる衝撃波を利用して、微細気泡発生器１７で発生した微細気泡を破砕し、より微細化する。
【００６９】
つまり、超音波出力値は、定在波の腹位置８２で蒸気性キャビテーションが発生する出力値、すなわち第１出力値よりも大きい値に設定する必要がある。また、蒸気性キャビテーションによる衝撃波を用いて、微細気泡をより効率的に微細化するためには、超音波出力値をキャビテーション閾値以上の値とすることが好ましい。
【００７０】
そのため、制御器１４は、超音波出力値とキャビテーション閾値とを比較する。
超音波出力値がキャビテーション閾値よりも小さい場合、制御器１４は、超音波出力値が第１出力値よりも高く、かつ、キャビテーション閾値以上である第２出力値となるように超音波発振器１２を制御し、超音波発生器１１からの超音波出力を増大させるように設定する。
一方、超音波出力値がキャビテーション閾値よりも大きい場合、制御器１４は、洗浄物３ａおよび汚れの状態等を考慮して、キャビテーション閾値以上であり、かつ、洗浄に適した大きさの第２出力値となるように超音波発振器１２を制御する。
【００７１】
すなわち、図３のフローチャートに示すように、洗浄装置１は、洗浄浄開始（ステップＳ１０１）後、微細気泡発生器１７を動作させるなどして、洗浄液２中に微細気泡を供給する（ステップＳ１０２）。その後、洗浄装置１は、超音波発生器１１からの超音波出力値を第２出力値に設定する（ステップＳ１０３）。
【００７２】
一定時間経過後（ステップＳ１０４：Ｙｅｓ）、洗浄装置１は、超音波発生器１１からの超音波出力値を第１出力値に設定する（ステップＳ１０５）。その後、洗浄物３を投入し、洗浄装置１は、洗浄物３に定在波の腹位置８２が含まれないことを判断する（ステップＳ１０６：Ｎｏ）。そして、洗浄装置１は、超音波発生器１１からの超音波出力値を第２出力値に設定し（ステップＳ１０７）、洗浄物３を洗浄（ステップＳ１０８）して洗浄を終了する（ステップＳ１０９）。
【００７３】
このとき、微細気泡発生器１７から発生した洗浄液２中の微細気泡は、定在波の腹位置８２において発生する蒸気性キャビテーションによってより微細化される。そして、微細化した微細気泡は、腹位置８２での圧力に押されて移動し、節位置８３で捕捉される。
節位置８３で捕捉された微細気泡は、ポンプ１５の動作によって生じる洗浄液２の流れによって洗浄物３ａの表面に沿って移動する。これにより洗浄物３ａの表面に付着する汚れは、微細気泡の気液界面に吸着されて除去される。
【００７４】
このように、洗浄物３ａを定在波の節位置８３に設置した場合には、超音波発生器１１からの超音波出力を腹位置８２で蒸気性キャビテーションが発生する第２出力値とすることにより、洗浄物３ａに作用する微細気泡の量を増加させて、洗浄物３ａを洗浄することができる。具体的には、蒸気性キャビテーションで気泡を微細化して微細気泡を発生させ、発生した微細気泡を節位置８３に捕捉することで、洗浄物３ａを洗浄することができる。
また、この場合には、洗浄中（ステップＳ１０８）においても絶えず洗浄液２中の気泡が、腹位置８２での蒸気性キャビテーションによって微細化されて、節位置８３に捕捉されるため、洗浄力の低下を抑制することができる。具体的には、蒸気性キャビテーションで絶えず気泡を微細化して、洗浄物３ａが存在する節位置８３に微細気泡が捕捉されるため、当該節位置８３の微細気泡が増量し、洗浄物３ａに対する洗浄力の低下を抑制することができる。
【００７５】
［洗浄物の設置位置に腹位置および節位置が含まれる場合の洗浄方法］
次に、洗浄物３の設置位置に定在波の腹位置８２および節位置８３が含まれる場合の洗浄方法について説明する。
なお、上述したように、超音波８１によって形成される定在波では、腹位置８２および節位置８３が超音波８１の波長の１／４毎に形成される。そのため、この例における洗浄物３の寸法は、超音波８１の波長の１／４以上の寸法とする。
【００７６】
図５は、図１の洗浄装置１における、洗浄物３ｂの設置位置に定在波の腹位置８２および節位置８３が含まれる場合の洗浄方法について説明するための概略図である。
図５（ａ）は、洗浄物３ｂの設置位置に定在波の腹位置８２および節位置８３が含まれる場合の洗浄装置１の第１の状態を示す。また、図５（ｂ）は、洗浄物３ｂの設置位置に定在波の腹位置８２および節位置８３が含まれる場合の洗浄装置１の第２の状態を示す。
なお、この場合の洗浄方法としては、例えば、以下に示す２つの方法が考えられる。
【００７７】
第１の方法では、まず、図５（ａ）に示すように、洗浄装置１を第１の状態とし、洗浄槽１０内に洗浄物３ｂを設置する前に、超音波発生器１１から発生する超音波８１の進行方向と平行な方向に超音波検知器１３を移動させて第２検知値を検出する。そして、制御器１４は、超音波発生器１１から発生する超音波８１の出力を第２出力値に設定する。
次に、微細気泡発生器１７により洗浄液２中に微細気泡を発生させ、ポンプ１５を動作させて洗浄液２を循環させる。そして、定在波の腹位置８２において発生する蒸気性キャビテーションにより、洗浄液２中の微細気泡を微細化する。これにより、この微細気泡が定在波の節位置８３で捕捉される。
その後、例えば１０秒以上、好ましくは１分以上の予め定められた時間、第２出力値で超音波８１を出力するとともに、ポンプ１５により洗浄液２を循環させた状態を維持する。これは、超音波出力を第２出力に設定することにより、洗浄液２中の微細気泡を破砕してより微細化させるとともに、気泡量を増量させるためである。
【００７８】
次に、図５（ｂ）に示すように、洗浄装置１を第２の状態とし、超音波８１の進行方向と平行な方向に超音波検知器１３を移動させて第１検知値を検出し、超音波発生器１１から発生する超音波８１の出力を第１出力値に設定する。そして、洗浄物３ｂを洗浄槽１０内に設置する。
【００７９】
すなわち、図３のフローチャートに示すように、洗浄装置１は、洗浄浄開始（ステップＳ１０１）後、微細気泡発生器１７を動作させるなどして、洗浄液２中に微細気泡を供給する（ステップＳ１０２）。その後、洗浄装置１は、超音波発生器１１からの超音波出力値を第２出力値に設定する（ステップＳ１０３）。
【００８０】
一定時間経過後（ステップＳ１０４：Ｙｅｓ）、洗浄装置１は、超音波発生器１１からの超音波出力値を第１出力値に設定する（ステップＳ１０５）。その後、洗浄物３を投入し、洗浄装置１は、洗浄物３に定在波の腹位置８２が含まれることを判断する（ステップＳ１０６：Ｙｅｓ）。そして、洗浄装置１は、超音波発生器１１からの超音波出力値を第１出力値に設定したまま、洗浄物３を洗浄（ステップＳ１０８）する。
【００８１】
そして、制御器１４は、超音波発振器１２を調整することにより、超音波８１の周波数を、発振周波数を中心として任意の周波数範囲でスイープ、または変調させ、超音波８１の周波数を連続的に変化させる。
【００８２】
このように、超音波８１の周波数を連続的に変化させることにより、定在波の腹位置８２および節位置８３が超音波８１の進行方向に沿って変位する。これにより、節位置８３で捕捉された微細気泡が、節位置８３の変位に従って洗浄物３ｂの表面を移動する。そのため、洗浄物３ｂの表面に付着する汚れは、微細気泡の気液界面に吸着されて除去される。
【００８３】
なお、このときに変化する超音波８１の周波数範囲は、腹位置８２および節位置８３の間の距離に応じて決定され、例えば、節位置８３が当該距離以上に変化するように、超音波８１の周波数を変化させると好ましい。
これにより、洗浄物３ｂの表面全体にわたって節位置８３を移動させることができ、洗浄物３ｂの表面全体に付着する汚れを除去することができる。
これらの腹位置８２および節位置８３の間の距離、超音波８１の変化させる周波数範囲等は、実験等により予め調査しておくと好ましい。
【００８４】
第２の方法では、まず、図５（ｂ）に示すように、洗浄装置１を第２の状態とし、洗浄槽１０内に洗浄物３ｂを設置する前に、超音波発生器１１から発生する超音波８１の進行方向と平行な方向に超音波検知器１３を移動させて第１検知値を検出する。そして、制御器１４は、超音波発生器１１から発生する超音波８１の出力を第１出力値に設定する。
次に、微細気泡発生器１７により洗浄液２中に微細気泡を発生させ、ポンプ１５を動作させて洗浄液２を循環させた後、この状態を維持したまま洗浄物３ｂを洗浄槽１０内に設置する。これにより、微細気泡が定在波の節位置８３で捕捉される。
【００８５】
すなわち、図３のフローチャートに示すように、洗浄装置１は、洗浄浄開始（ステップＳ１０１）後、微細気泡発生器１７を動作させるなどして、洗浄液２中に微細気泡を供給する（ステップＳ１０２）。ここで、洗浄装置１は、ステップＳ１０３およびステップＳ１０４を省略し、超音波発生器１１からの超音波出力値を第１出力値に設定する（ステップＳ１０５）。その後、洗浄物３を投入し、洗浄装置１は、洗浄物３に定在波の腹位置８２が含まれることを判断する（ステップＳ１０６）。そして、洗浄装置１は、超音波発生器１１からの超音波出力値を第１出力値に設定したまま、洗浄物３を洗浄（ステップＳ１０８）する。
【００８６】
そして、制御器１４は、超音波発振器１２を調整することにより、超音波８１の周波数を、発振周波数を中心として任意の周波数範囲でスイープ、または変調させ、超音波８１の周波数を連続的に変化させる。
【００８７】
このように、超音波８１の周波数を連続的に変化させることにより、定在波の腹位置８２および節位置８３が超音波８１の進行方向に沿って変位する。これにより、節位置８３で捕捉された微細気泡が、節位置８３の変位に従って洗浄物３ｂの表面を移動する。そのため、洗浄物３ｂの表面に付着する汚れは、微細気泡の気液界面に吸着されて除去される。
【００８８】
なお、このときに変化する超音波８１の周波数範囲は、第１の方法と同様に、腹位置８２および節位置８３の間の距離に応じて決定され、例えば、節位置８３が当該距離以上に変化するように、超音波８１の周波数を変化させると好ましい。
これにより、洗浄物３ｂの表面全体にわたって節位置８３を移動させることができ、洗浄物３ｂの表面全体に付着する汚れを除去することができる。
これらの腹位置８２および節位置８３の間の距離、超音波８１の変化させる周波数範囲等は、第１の方法と同様に、実験等により予め調査しておくと好ましい。
【００８９】
以上のように、第１の方法または第２の方法を用いて定在波の腹位置８２および節位置８３を含む洗浄物３ｂを洗浄する場合には、超音波発生器１１からの超音波出力を第１出力値とし、定在波の節位置８３が洗浄物３ｂの表面全体を移動するように超音波周波数を調整することにより、洗浄物３ｂに対するダメージを抑制して洗浄物３ａ全体を均一に洗浄することができる。具体的には、蒸気性キャビテーションで気泡を微細化して微細気泡を発生させ、その後、気体性キャビテーションに変更する。そして、発生した微細気泡と気体性キャビテーションとを用いて洗浄を行い、洗浄中に超音波８１の周波数を連続的に変化させることによって、洗浄物３ｂに対するダメージを抑制して、洗浄物３ｂ全体を均一に洗浄することができる。
【００９０】
上述した第１の方法または第２の方法では、洗浄物３ｂに対する定在波の節位置８３を移動させるために、超音波８１の周波数スイープまたは変調等を行ったが、節位置８３を移動させる方法は、この例に限られない。
例えば、洗浄物３ｂを超音波８１の進行方向と平行な方向に移動させることにより、定在波の節位置８３との相対的な位置を移動させるようにしてもよい。これにより、洗浄物３ｂを洗浄する際に、第１および第２の方法と同様の効果を得ることができる。
なお、この場合に洗浄物３ｂを移動させる距離についても、腹位置８２および節位置８３の間の距離に応じて決定され、例えば、節位置８３が当該距離以上に変化するように、洗浄物３ｂを移動させると好ましい。
【００９１】
［微細気泡についての検証］
ここで、上述した第１の方法では、まず、第２出力値に設定された超音波８１によって洗浄液２中の微細気泡を破砕してより微細化するが、このようにしてより微細化された複数の微細気泡同士が定在波の節位置で捕捉される際に合体して、大きな気泡となってしまう虞がある。
そこで、上述した第１の方法において発生した微細気泡について検証する。
【００９２】
図６は、微細気泡の状態を検証する検証装置９０の構成の一例を示す概略図である。
第１の方法では、超音波出力を第２出力値に設定して微細気泡を破砕するとともに定在波の節位置８３で捕捉し、超音波出力を第１出力値に設定した後、その状態を維持している。ここでは、この状態における洗浄液２中の微細気泡を観測し、微細気泡の分布について検証した。
【００９３】
図６に示すように、検証装置９０では、洗浄液９２が満たされた洗浄槽９１の底部に超音波発生器９３を設置する。そして、洗浄槽９１に接続された液配管９６に設けられたポンプ９４を用いて洗浄槽９１中の洗浄液９２を循環させるとともに、微細気泡発生器９５において、吸気管９７を介して供給された気体を用いて洗浄液９２中に微細気泡を発生させる。
【００９４】
一方、超音波発生器９３からは、超音波出力が第２出力に設定された超音波８１が洗浄液９２の液面方向に照射される。これにより、洗浄液９２中には、定在波が形成される。
そして、洗浄液９２中に発生した微細気泡は、定在波の腹位置において破砕され、微細化される。
【００９５】
次に、微細気泡が破砕される位置、すなわち定在波の腹位置における洗浄液９２を、ポンプ１０１を用いて管１０２を介して接続された透明なスリット１００に吸い上げる。
そして、スリット１００に吸い上げられた洗浄液９２を、スリット１００の側面から撮影し、微細気泡の分布を観測した。
【００９６】
図７は、図６の検証装置９０を用いて観測された微細気泡の分布を示すグラフである。
図７に示すグラフにおいて、横軸は、スリット１００に吸い上げられた洗浄液９２に含まれる微細気泡の気泡径を示す。また、縦軸は、スリット１００に吸い上げられた洗浄液９２における微細気泡の気泡密度を示す。
【００９７】
図７に示すように、スリット１００に吸い上げられた洗浄液９２が存在した位置、すなわち微細気泡が破砕される定在波の腹位置において、気泡径が０．５ｍｍ以上の大きな気泡は観測されなかった。
これは、破砕した複数の微細気泡同士が当該位置で合体し、大きな気泡として発生せず、微細気泡の状態で定在波の節位置で捕捉されていることを示す。
【００９８】
なお、図７に示す結果では、超音波８１を照射することによって気泡密度、すなわち気泡数が減少しているが、これは、微細気泡が定在波の節位置で捕捉され、スリット１００に吸い上げられる洗浄液９２中の気泡数が減少したためである。
【００９９】
この結果から、超音波８１の出力の大きさによらず、微細気泡がその気泡径を維持した状態で定在波の節位置で捕捉されることがわかる。したがって、上述した第１の方法により、洗浄物３の洗浄を実施することができる。
【０１００】
［洗浄結果の検証］
図８は、図１の洗浄装置１を用いて洗浄物３を洗浄した場合の第１の洗浄結果を示す概略図である。図９は、図１の洗浄装置１を用いて洗浄物３を洗浄した場合の第２の洗浄結果を示す概略図である。図８は、超音波周波数を４０ｋＨｚとした場合の洗浄結果を示す。図９は超音波周波数を１００ｋＨｚとした場合の洗浄結果を示す。
【０１０１】
いずれの場合も、トリオレインを付着させたアクリル板を洗浄サンプルとして用い、気泡の有無に対して、超音波出力をパラメータとした場合の洗浄サンプルの汚れ密度および油分除去率を評価した。洗浄時間は１０分とした。図８および図９に示す結果から、超音波８１と気泡とを併用することで、超音波８１のみを用いた場合よりも洗浄力が向上したことが確認できる。特に、周波数が高く、出力が低いほど、超音波８１と気泡との併用による相乗効果が高くなっていることが確認できる。
【０１０２】
次に、超音波８１で発生するキャビテーション強度を視覚的に確認するため、厚みが１１μｍのアルミホイルをサンプルとして評価した。周波数が低いほどキャビテーション強度が強く、アルミホイルにダメージを与えやすいため、ここでは、周波数が４０ｋＨｚの超音波８１を用いた。上述した洗浄評価の洗浄位置と同じ位置にアルミホイルを設置し、１０分間超音波１８を照射した。
【０１０３】
図１０は、図１の洗浄装置１を用いてサンプルに対して超音波８１を照射した場合の、超音波８１によるダメージ評価結果を示す概略図である。図中の破線は、洗浄槽１０に発生した超音波８１の定在波音圧の腹位置８２を示す。これにより、音圧の腹位置８２にダメージが集中し、気泡ありの方がダメージ発生箇所が多いことを確認した。また、気泡なしの場合は、超音波出力３００Ｗのみでダメージが発生したが、気泡ありの場合は出力１８０Ｗでダメージが発生することを確認した。この結果から、気泡の存在により超音波キャビテーションが強くなったことが確認できる。
【０１０４】
また、気泡なしの３００Ｗと気泡ありの１２０Ｗでは、油分除去率はいずれも約９０％と同等であったが、後者はアルミホイルへのダメージを目視確認できなかった。よって気泡を用いることで、超音波出力を低くしてダメージを抑制しつつ、洗浄力を向上できることが確認できる。
【０１０５】
［実施例］
次に、本実施の形態１に係る洗浄装置１の実施例について説明する。本実施の形態１に係る洗浄装置１は、例えば、膜分離バイオリアクタ（ＭＢＲ；Ｍｅｍｂｒａｎｅ  ＢｉｏＲｅａｃｔｏｒ）と呼ばれる水処理システムに使用される分離膜の洗浄に適用することができる。
【０１０６】
膜分離バイオリアクタは、上水道、下水道、工業用水または各種廃水などの水処理方法の一つで、活性汚泥法などによる生物学的処理を行った後、分離膜を用いて有機物質などの汚濁物質を分離除去し、水処理を行うものである。分離膜を継続的に使用すると、分離膜の表面、内部および孔中等に汚濁物質が付着して、分離膜の目詰まりが生じ、濾過性能が徐々に低下する。特に、分離膜に目詰りが生じると、被処理水を濾過するために必要な圧力が増加するため、単位時間、単位膜面積当たりの膜濾過水量が低下し、濾過膜の性能が低下してしまう。そのため、濾過膜の性能を維持するためには、分離膜を定期的に洗浄する必要がある。
【０１０７】
この分離膜の洗浄方法としては、分離膜をオゾンまたは次亜塩素酸ソーダ等の酸化剤を含有する洗浄水に浸漬することにより、濾過膜の表面に付着した汚濁物質を除去する方法がある。また、他の洗浄方法としては、分離膜の濾過方向とは逆方向の濾過水側から濾過水、清澄水、あるいは、オゾンまたは次亜塩素酸ソーダ等の酸化剤を含有する洗浄水などを濾過膜に流通させることにより、濾過膜の表面に付着した汚濁物質を除去する方法がある。
【０１０８】
本実施の形態１に係る洗浄装置１は、分離膜を洗浄水に浸漬して洗浄する際に適用することができる。すなわち、図１に示す洗浄物３が分離膜となり、洗浄液２にオゾンまたは次亜塩素酸ソーダ等の酸化剤を含有する洗浄水を用いることで、分離膜を洗浄することができる。本実施の形態１に係る洗浄装置１を用いることにより、微細気泡および超音波により分離膜の表面、内部および孔中等に付着した汚濁物質の除去性能が向上する。また、中空糸膜や平膜など、あらゆる分離膜の洗浄に適用できる。
【０１０９】
分離膜を洗浄水に浸漬して洗浄する方法では、水処理システムから分離膜を取り外す必要があり、この場合には、洗浄のために分離膜を取り外した分だけ水処理システム全体の処理能力が低下する。そのため、水処理システムの処理能力の低下を短時間に抑えるべく、洗浄時間の短縮が望まれている。そこで、本実施の形態１に係る洗浄装置１を用いて分離膜を洗浄水に浸漬して洗浄する方法を適用することにより、洗浄時間を短縮でき、水処理システムの処理能力の低下を短時間に抑えることができる。
【０１１０】
また、水処理システムの分離膜のサイズは、通常２ｍ以上の大きさであり、水処理システムからの分離膜の取り外しには、労力を要する。そのため、水処理システムから分離膜を取り外すのではなく、分離膜をインラインで洗浄することが望まれている。すなわち、分離膜を水処理システムに設置したまま洗浄することが望まれている。
【０１１１】
本実施の形態１に係る洗浄装置１を用いた場合、ＭＢＲ水処理システムから分離膜を取り外して洗浄する際、洗浄時間の短縮が短縮されるだけでなく、ＭＢＲ水処理システムから分離膜を取り外さずに洗浄する際、生物処理槽に分離膜を設置したままインライン洗浄をすることもできる。
【０１１２】
（実施例１）
図１１は、本実施の形態１の実施例１に係る洗浄装置２００の構成の一例を示す概略図である。図１１に示すように、洗浄装置２００において、活性汚泥２０２が入れられた生物処理槽２０１には、分離膜２０６と、超音波発生器１１と、超音波検知器１３と、散気装置２０５とが設置される。超音波発生器１１は、生物処理槽２０１の底面に設置され、超音波出力線４を通して超音波発振器１２に接続される。超音波検知器１３は、制御線５を通して制御器１４および超音波発振器１２に接続される。散気装置２０５は、気泡を発生して分離膜２０６に対して散気を行うものであり、気体導入管２０４を通して気体供給源１８に接続される。
【０１１３】
生物処理槽２０１には、被処理水導入配管２０３が接続される。また、生物処理槽２０１は、液配管６を通してポンプ１５、フィルタ１６、および微細気泡発生器１７に接続される。微細気泡発生器１７は、吸気管７を通して気体供給源１８に接続される。分離膜２０６は、流路切換器２１１を備える透過水移送配管２０７を通して処理水排水口２１０に接続される。流路切換器２１１は、洗浄水注入配管２０９を通して、洗浄水注入装置２０８に接続される。
【０１１４】
次に、実施例１に係る洗浄装置２００の動作について説明する。水処理時において、生物処理槽２０１には、被処理水導入配管２０３を通して被処理水が導入され、活性汚泥２０２中の微生物により有機物が分解される。活性汚泥２０２は、分離膜２０６により濾過され、透過水移送配管２０７により処理水排水口２１０に移送される。散気装置２０５は、分離膜２０６を閉塞しにくくするために、気体供給源１８から気体導入管２０４を通して供給された気体によるバブリングを行う。
【０１１５】
一方、洗浄時において、洗浄装置２００は、ポンプ１５を動作し、微細気泡発生器１７による微細気泡を活性汚泥２０２に導入する。このときの洗浄のプロセスは、図３のフローチャートに示す通りである。ここで、超音波発生器１１が第２出力を出力するときは、散気装置２０５から供給される気体によって分離膜２０６が保護されるため、分離膜２０６が損傷することはない。また、散気装置２０５から供給される気体は、超音波発生器１１から照射される超音波８１により微細化される。これにより、分離膜２０６近傍の微細気泡数が増加し、洗浄力が向上する。
【０１１６】
さらに、本実施例１では、流路切換器２１１を洗浄水注入装置２０８側に開通させることで、分離膜２０６に洗浄水を注入し、分離膜２０６を逆流洗浄することができる。そのため、本実施の形態１に係る洗浄方法と併用することで、分離膜２０６の洗浄力が向上する。洗浄水には、オゾンまたは次亜塩素酸ソーダ等の酸化剤を含有する洗浄水を用いることで、洗浄力がさらに向上する。このような分離膜２０６の逆洗浄は、本実施の形態１に係る洗浄方法による動作中、任意のタイミングで実施することができる。
【０１１７】
図１２は、本実施の形態１の実施例１に係る洗浄装置２００の構成の他の例を示す概略図である。上述した図１１に示す例では、超音波発生器１１を生物処理槽２０１の底面に設置したが、例えば、図１２に示すように生物処理槽２０１の側面に設置することもできる。
【０１１８】
なお、本実施例１による洗浄方法では、分離膜２０６の洗浄に適する超音波周波数、超音波出力、および超音波照射時間などを予め調査しておくことが望ましい。また、微細気泡および散気装置２０５へ導入する気体は、空気に限らず、例えばオゾン等の酸化性の気体を用いることもできる。
【０１１９】
（実施例２）
図１３は、本実施の形態１の実施例２に係る洗浄装置３００の構成の一例を示す概略図である。図１３に示すように、実施例２に係る洗浄装置３００は、図１２に示す実施例１に係る洗浄装置２００の構成に対して、気体量制御器２１２を気体導入管２０４に追加した構成である。
【０１２０】
本実施例２に係る洗浄装置３００の動作は、実施例１と概略的には同様であるが、気体量制御器２１２によって散気装置２０５へ供給する気体量を制御する点で相違している。気体量制御器２１２は、超音波発生器１１から第２出力の超音波出力が出力されるとき、分離膜２０６が損傷しないように散気装置２０５への気体量を増加させる。これにより、分離膜２０６の近傍に気体層を形成し、分離膜２０６を保護する。
【０１２１】
超音波８１は、液中から気中への透過率がほぼ零である。そのため、分離膜２０６の近傍に気体層がある場合には、分離膜２０６に対して超音波８１が到達しない。また、このとき、分離膜２０６の近傍に形成された気体層の一部が蒸気性キャビテーションにより剥離して微細化され、分離膜２０６近傍の微細気泡数が増加する。これにより、洗浄力が向上する。
【０１２２】
また、超音波発生器１１から第１出力の超音波出力が出力されるとき、分離膜２０６の近傍に気体層があると、気体性キャビテーションが分離膜２０６の表面に作用しにくくなり、洗浄力が低下する。よって、超音波発生器１１から第１出力の超音波出力が出力されるときには、散気装置２０５への気体量を減少させる。これにより、気体性キャビテーションが分離膜２０６の表面に作用し、洗浄力が向上する。さらに、散気装置２０５からの気体が微細化されて微細気泡数が増加するため、洗浄力が向上する。
【０１２３】
本実施例２においても、実施例１と同様に、分離膜２０６を逆流洗浄することができる。このような分離膜２０６の逆洗浄は、本実施の形態１に係る洗浄方法による動作中、任意のタイミングで実施することができる。
【０１２４】
なお、図１３に示す例では、超音波発生器１１を生物処理槽２０１の側面に設置したが、例えば、実施例１の図１１に示す例と同様に、超音波発生器１１を生物処理槽２０１の底面に設置することもできる。また、本実施例２による洗浄方法では、分離膜２０６の洗浄に適する超音波周波数、超音波出力、および超音波照射時間などを予め調査しておくことが望ましい。さらに、微細気泡および散気装置２０５へ導入する気体は、空気に限らず、例えばオゾン等の酸化性の気体を用いることもできる。
【０１２５】
（実施例３）
図１４は、本実施の形態１の実施例３に係る洗浄装置４００の構成の一例を示す概略図である。図１４に示すように、実施例３に係る洗浄装置４００は、図１３に示す実施例２に係る洗浄装置３００の構成に対して、気体導入管２１３および流路切換器２１４を追加した構成である。流路切換器２１４は、気体導入管２０４の気体量制御器２１２と散気装置２０５との間に設けられる。流路切換器２１４は、気体導入管２１３を通して透過水移送配管２０７の流路切換器２１１に接続される。
【０１２６】
本実施例３に係る洗浄装置４００の動作は、実施例１および２と概略的には同様であるが、以下に説明する点で相違する。洗浄装置４００は、超音波発生器１１から第２出力の超音波出力が出力されるときに、流路切換器２１１と流路切換器２１４とを切り換えて、分離膜２０６の逆側、つまり処理水出口側から分離膜２０６に気体を導入し、当該気体を活性汚泥２０２に導入する。このとき、分離膜２０６の近傍には気体層が形成され、超音波８１により分離膜２０６が損傷しないように分離膜２０６を保護することができる。
【０１２７】
超音波８１は、液中から気中への透過率がほぼ零である。そのため、分離膜２０６の近傍に気体層がある場合には、分離膜２０６に対して超音波８１が到達しない。また、このとき、分離膜２０６の近傍に形成された気体層の一部が蒸気性キャビテーションにより剥離して微細化され、分離膜２０６近傍の微細気泡数が増加する。これにより、洗浄力が向上する。
【０１２８】
また、超音波発生器１１から第１出力の超音波出力が出力されるとき、洗浄装置４００では、分離膜２０６と洗浄水注入配管２０９とが導通するように、流路切換器２１４を散気装置２０５側に切り換えて、分離膜２０６を洗浄する。本実施例３においても、分離膜２０６の近傍に気体層があると、気体性キャビテーションが分離膜２０６の表面に作用しにくくなり、洗浄力が低下する。よって、超音波発生器１１から第１出力の超音波出力が出力されるときには、散気装置２０５への気体量を減少させる。これにより、気体性キャビテーションが分離膜２０６の表面に作用し、洗浄力が向上する。さらに、散気装置２０５からの気体が微細化されて微細気泡数が増加するため、洗浄力が向上する。
【０１２９】
なお、図１４に示す例では、超音波発生器１１を生物処理槽２０１の側面に設置したが、例えば、図１１に示す例と同様に、超音波発生器１１を生物処理槽２０１の底面に設置することもできる。また、本実施例３による洗浄方法では、分離膜２０６の洗浄に適する超音波周波数、超音波出力、および超音波照射時間などを予め調査しておくことが望ましい。さらに、微細気泡および散気装置２０５へ導入する気体は、空気に限らず、例えばオゾン等の酸化性の気体を用いることもできる。
【０１３０】
以上のように、本実施の形態１では、洗浄槽１０内に形成される定在波における腹位置８２および節位置８３のいずれか一方の位置に洗浄物３を設置して洗浄物３を洗浄する場合に、洗浄物３と、定在波の腹位置８２および節位置８３との位置関係に基づき、超音波発生器１１から発生する超音波８１の出力を調整する。
これにより、洗浄物３に対するダメージの発生を抑制しながら、洗浄物３を洗浄することができる。
【０１３１】
また、洗浄槽１０内での洗浄物３の設置位置が腹位置８２および節位置８３を含む場合には、節位置８３が洗浄物３の表面全体を移動するように、超音波８１の周波数をスイープ、または洗浄物３を移動させる。
これにより、洗浄物３に対するダメージの発生を抑制しながら、洗浄物３を均一に洗浄することができる。
【０１３２】
実施の形態２．
次に、本発明の実施の形態２に係る洗浄装置について説明する。
図１５は、本発明の実施の形態２に係る洗浄装置２０の構成の一例を示す概略図である。
この洗浄装置２０は、微細気泡発生器１７と気体供給源１８との間に吸気制御器２１を備える点で、上述した実施の形態１と相違する。なお、以下の説明において、実施の形態１と同様の箇所には同一の符号を付し、詳細な説明を省略する。
【０１３３】
［洗浄装置の構成］
図１５に示すように、洗浄装置２０は、洗浄槽１０、超音波発生器１１、超音波発振器１２、超音波検知器１３、制御器１４、ポンプ１５、フィルタ１６、微細気泡発生器１７、気体供給源１８および吸気制御器２１を含んで構成される。
【０１３４】
吸気制御器２１は、微細気泡発生器１７と気体供給源１８との間に設けられ、吸気管７を介して微細気泡発生器１７および気体供給源１８に接続される。
吸気制御器２１は、制御線２２によって接続された制御器１４の制御に基づき、気体供給源１８から微細気泡発生器１７に供給する気体の量および吸気タイミングの少なくとも一方を調整し、調整した気体を微細気泡発生器１７に供給する。
【０１３５】
制御器１４は、超音波検知器１３で検知された超音波８１のエネルギー、音圧、周波数等の超音波８１に関する情報に基づき、実施の形態１と同様に超音波発振器１２を制御するとともに、吸気制御器２１を制御する。
【０１３６】
［洗浄装置の動作］
次に、洗浄装置２０の動作について説明する。洗浄装置２０における一連の動作は、図３のフローチャートに示す通りである。
概略的には、図１５に示すように、洗浄装置２０は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０１３７】
また、洗浄装置２０では、超音波検知器１３での検知結果に基づき、制御器１４によって吸気制御器２１を制御し、気体供給源１８から微細気泡発生器１７に供給される気体の量および吸気タイミングの少なくとも一方を制御する。すなわち、図３に示すフローチャートにおいて、洗浄装置２０は、ステップＳ１０３とステップＳ１０８とのいずれか一方、または両方において、気体供給源１８から微細気泡発生器１７に供給される気体の量および吸気タイミングの少なくとも一方を制御する。
【０１３８】
例えば、超音波検知器１３で検知された検知値がキャビテーション閾値よりも大きい場合には、微細気泡数を増やすために気体の吸気量を増加させる。また、例えば、超音波検知器１３で検知された検知値がキャビテーション閾値よりも小さい場合には、気体の吸気を間欠的に行い、洗浄に有効な微細気泡数が最も多くなるような間欠吸気のタイミングに調整する。すなわち上記の例では、図３に示すフローチャートにおいて、洗浄装置２０は、ステップＳ１０４で気体の吸気量を増加させ、ステップＳ１０８で気体の間欠吸気のタイミングを制御する。
これにより、洗浄槽１０内の洗浄液２に発生する微細気泡の量、気泡径等を制御することができる。
【０１３９】
ここで、洗浄物３を定在波の腹位置８２で洗浄する場合について考える。
この場合、超音波検知器１３は、洗浄物３の洗浄位置において、定在波の圧力変動が最大となる腹位置８２を示す第１検知値を検知する。これにより、超音波発生器１１は、超音波発振器１２を介して超音波出力が第１出力値に設定された超音波８１を出力する。
したがって、洗浄物３の表面における微細気泡は、定在波の圧力変動により発生する気体性キャビテーションによって膨張収縮し、洗浄物３の表面に付着した汚れが気液界面に吸着されて除去される。
【０１４０】
しかしながら、微細気泡の量が過剰となると、定在波が有する超音波エネルギーが気泡に吸収され、気体性キャビテーションが発生し難くなるため、洗浄力が低下する。
【０１４１】
そこで、本実施の形態２では、定在波の腹位置８２で洗浄物３を洗浄する際に、洗浄液２中の微細気泡の量が気体性キャビテーションの発生を阻害する量とならないように、微細気泡発生器１７で発生させる微細気泡の量を制御する。すなわち、図３に示すフローチャートにおけるステップＳ１０８において、洗浄装置２０は、微細気泡の量を制御する。
これにより、過剰な微細気泡に起因する超音波エネルギーの減衰を防ぎ、気体性キャビテーションを効率的に発生させることができ、洗浄物３に対する洗浄力を向上させることができる。
【０１４２】
次に、洗浄物３を定在波の節位置８３で洗浄する場合について考える。
この場合、超音波検知器１３は、洗浄物３の洗浄位置において、定在波の圧力変動が最小となる節位置８３を示す第２検知値を検知する。これにより、超音波発生器１１は、超音波発振器１２を介して超音波出力が第２出力値に設定された超音波８１を出力する。
したがって、洗浄液２中の微細気泡は、定在波の腹位置８２において発生する蒸気性キャビテーションによってより破砕されて微細化する。そして、微細化した微細気泡は、腹位置８２での圧力に押されて移動し、節位置８３で捕捉される。これにより、節位置８３の位置に設置された洗浄物３の表面に付着した汚れが気液界面に吸着されて除去される。
【０１４３】
しかしながら、この場合においても、微細気泡の量が過剰となると、超音波エネルギーが気泡に吸収され、蒸気性キャビテーションが発生し難くなり、破砕される微細気泡が減少する。そのため、結果として微細気泡数が減少し、洗浄力が低下する。
【０１４４】
そこで、本実施の形態２では、定在波の節位置８３で洗浄物３を洗浄する際に、洗浄液２中の微細気泡の量が蒸気性キャビテーションの発生を阻害する量とならないように、微細気泡発生器１７で発生させる微細気泡の量を制御する。すなわち、図３に示すフローチャートにおけるステップＳ１０３において、洗浄装置２０は、微細気泡の量を制御する。
これにより、過剰な微細気泡に起因する超音波エネルギーの減衰を防ぎ、蒸気性キャビテーションを効率的に発生させることができるため、破砕される微細気泡数の減少を抑制し、洗浄物３に対する洗浄力を向上させることができる。
【０１４５】
ここでは、洗浄物３の寸法が腹位置８２または節位置８３近傍に収まる場合を例にとって説明したが、これはこの例に限られない。例えば、洗浄物３の設置位置に腹位置８２および節位置８３が含まれる場合でも、実施の形態１で説明した第１の方法または第２の方法を用いることにより、洗浄物３を洗浄することができる。
【０１４６】
なお、定在波の超音波エネルギーを阻害するような微細気泡の量は、洗浄液２の種類および温度、超音波周波数、微細気泡に含まれる気体の種類等の使用環境によって異なる。そのため、使用環境に適した吸気量、断続吸気等の各種パラメータは、実験等で予め調査しておくと好ましい。
【０１４７】
以上のように、本実施の形態２では、吸気制御器２１によって洗浄液２中の微細気泡の量を調整する。そのため、キャビテーションの発生が阻害されるのを防ぎ、洗浄物３に対する洗浄力を向上させることができる。
【０１４８】
実施の形態３．
次に、本発明の実施の形態３に係る洗浄装置について説明する。
図１６は、本発明の実施の形態３に係る洗浄装置３０の構成の一例を示す概略図である。
この洗浄装置３０は、洗浄物３を洗浄する際の、洗浄物３の位置を制御する洗浄物制御部３１を備える点で、上述した実施の形態１と相違する。なお、以下の説明において、実施の形態１および２と同様の箇所には同一の符号を付し、詳細な説明を省略する。
【０１４９】
［洗浄装置の構成］
図１６に示すように、洗浄装置３０は、洗浄槽１０、超音波発生器１１、超音波発振器１２、超音波検知器１３、制御器１４、ポンプ１５、フィルタ１６、微細気泡発生器１７、気体供給源１８および洗浄物制御部３１を含んで構成される。
【０１５０】
洗浄物制御部３１は、位置制御器３２および保持器３３を有する。
保持器３３は、洗浄液２中の洗浄物３の位置を保持するために設けられている。保持器３３は、位置制御器３２の制御によって駆動し、超音波発生器１１から照射される超音波８１の進行方向と平行な方向に移動する。
位置制御器３２は、制御線３４を介して制御器１４に接続され、制御器１４の制御に基づき、保持器３３の位置を制御する。
【０１５１】
制御器１４は、超音波検知器１３で検知された超音波８１のエネルギー、音圧、周波数等の超音波８１に関する情報に基づき、実施の形態１と同様に超音波発振器１２を制御するとともに、位置制御器３２を制御する。
【０１５２】
［洗浄装置の動作］
次に、洗浄装置３０の動作について説明する。洗浄装置３０における一連の動作は、図３のフローチャートに示す通りである。
概略的には、図１６に示すように、洗浄装置３０は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０１５３】
また、洗浄装置３０では、超音波検知器１３での検知結果に基づき、制御器１４によって位置制御器３２を制御し、保持器３３を駆動して洗浄物３の位置を制御する。すなわち、図３に示すフローチャートにおけるステップＳ１０８において、洗浄装置３０は、保持器３３を駆動して洗浄物３の位置を制御する。
【０１５４】
これにより、洗浄装置３０では、２つの洗浄方法を選択することができる。
一方の洗浄方法は、超音波出力を第１出力値として、気体性キャビテーションによる微細気泡の膨張収縮を用いて洗浄物３を洗浄する方法である。
他方の洗浄方法は、超音波出力を第２出力値として、定在波の節位置８３で捕捉された微細気泡の気液界面に汚れを吸着させて洗浄物３を洗浄する方法である。
【０１５５】
例えば、洗浄物３に対して強固に固着した汚れを洗浄する場合には、超音波出力を第１出力値として、気体性キャビテーションによる微細気泡の膨張収縮を用いて洗浄する。また、気体性キャビテーションによる微細気泡の膨張収縮を用いて洗浄すると、洗浄物３にダメージが発生する虞がある場合には、超音波出力を第２出力値として、微細気泡の気液界面に汚れを吸着させて洗浄する。
このように、洗浄物３の特性および洗浄物３に付着した汚れの特性に応じて、２つの洗浄方法を選択することができる。
【０１５６】
超音波出力を第１出力値として洗浄物３を定在波の腹位置８２で洗浄する場合には、定在波の腹位置８２を予め検知しておく。
そして、制御器１４は、予め検知しておいた腹位置８２を示す位置情報に基づき、洗浄物制御部３１の位置制御器３２を制御する。
位置制御器３２は、制御器１４の制御に基づき、洗浄物３が腹位置８２に位置するように保持器３３を駆動する。
【０１５７】
次に、制御器１４は、超音波発生器１１から照射される超音波８１の出力が第１出力値となるように、超音波発振器１２を制御する。
これにより、超音波発生器１１から第１出力値の超音波８１が照射され、洗浄液２中の微細気泡は、定在波の圧力変動により発生する気体性キャビテーションによって、洗浄物３ａの表面を膨張収縮しながら移動する。そして、微細気泡の移動により、洗浄物３ａの表面に付着する汚れが微細気泡の気液界面に吸着されて除去される。
【０１５８】
一方、超音波出力を第２出力値として洗浄物３を定在波の節位置８３で洗浄する場合には、定在波の節位置８３を予め検知しておく。
そして、制御器１４は、予め検知しておいた節位置８３を示す位置情報に基づき、洗浄物制御部３１の位置制御器３２を制御する。
位置制御器３２は、制御器１４の制御に基づき、洗浄物３が節位置８３に位置するように保持器３３を駆動する。
【０１５９】
次に、制御器１４は、超音波発生器１１から照射される超音波８１の出力が第２出力値となるように、超音波発振器１２を制御する。
これにより、超音波発生器１１から第２出力値の超音波８１が照射され、洗浄液２中の微細気泡は、腹位置８２において発生する蒸気性キャビテーションによってより微細化される。そして、微細化した微細気泡が節位置８３で捕捉され、洗浄物３ａの表面に付着する汚れが微細気泡の気液界面に吸着されて除去される。
【０１６０】
なお、本実施の形態３においても、洗浄物３の設置位置に腹位置８２および節位置８３が含まれる場合における、洗浄物３の洗浄が可能である。
洗浄装置３０では、保持器３３に洗浄物３を保持して駆動することにより、洗浄物３を超音波８１の進行方向と平行な方向に移動させることができる。そのため、実施の形態１で説明した第１の方法または第２の方法を用いることなく、洗浄物３を洗浄することができる。
【０１６１】
例えば、洗浄物３の特性または洗浄物３に付着する汚れの特性に応じて、超音波８１の出力を第１出力値または第２出力値に設定し、保持器３３を介して洗浄物３を移動させることにより、洗浄物３の表面を均一に洗浄することができる。
【０１６２】
また、図１０に示す結果から、超音波８１のエネルギーは、横方向、つまり超音波８１の進行方向と垂直な方向に分布を持っている。よって、洗浄物３を横方向、つまり超音波８１の進行方向に対して平行な方向と垂直な方向とのうち、少なくとも一方を含む方向に移動させることで、洗浄物３の表面を均一に洗浄することができる。
【０１６３】
このときの洗浄物３の移動距離は、第１検知値を検知した位置と、第２検知値を検知した位置との間の距離よりも長くすると好ましい。これは、洗浄物３の表面全体にわたって腹位置８２または節位置８３を移動させるためである。
なお、この移動距離は、実験等により予め調査しておくと好ましい。
【０１６４】
また、本実施の形態３では、例えば、超音波検知器１３を超音波８１の進行方向と平行な方向に移動させ、第１検知値の検知位置と、第２検知値の検知位置とを測定し、測定結果に基づいて、保持器３３の移動を自動的に制御するようにしてもよい。
【０１６５】
以上のように、本実施の形態３では、洗浄物制御部３１を備え、保持器３３によって保持された洗浄物３を移動させて洗浄を行う。これにより、超音波８１の出力値または洗浄物３に付着する汚れの状態等に応じて適切な洗浄方法を選択することができる。
また、洗浄物３を超音波８１の進行方向と平行な方向に移動させることができるため、洗浄物３の設置位置に腹位置８２および節位置８３が含まれる場合でも、洗浄物３の表面全体を均一に洗浄することができる。
【０１６６】
さらに、洗浄物３を超音波８１の進行方向に対して平行な方向と垂直な方向とのうち、少なくとも一方を含む方向に移動させた場合には、洗浄物３の表面に水流が発生するため、洗浄槽１０内の洗浄液２の液置換性が向上し、洗浄物３を効率的に洗浄することができる。
【０１６７】
さらにまた、洗浄液２の温度、溶存気体量等が変化することにより、定在波の腹位置８２および節位置８３が変化する。そのため、例えば、超音波検知器１３を定期的に移動させ、洗浄槽１０内に形成される定在波の状態を監視することで、第１検知値および第２検知値の検知位置の変化に応じて、洗浄物３を移動させることができる。
これにより、洗浄物３を効率的に洗浄することができ、例えば、洗浄物３の歩留まりを改善することができる。
【０１６８】
実施の形態４．
次に、本発明の実施の形態４に係る洗浄装置について説明する。
図１７は、本発明の実施の形態４に係る洗浄装置４０の構成の一例を示す概略図である。
この洗浄装置４０は、上述した実施の形態２および実施の形態３を組み合わせたものである。なお、以下の説明において、実施の形態１〜３と同様の箇所には同一の符号を付し、詳細な説明を省略する。
【０１６９】
［洗浄装置の構成］
図１７に示すように、洗浄装置４０は、洗浄槽１０、超音波発生器１１、超音波発振器１２、超音波検知器１３、制御器１４、ポンプ１５、フィルタ１６、微細気泡発生器１７、気体供給源１８、吸気制御器２１および洗浄物制御部３１を含んで構成される。
【０１７０】
［洗浄装置の動作］
次に、洗浄装置４０の動作について説明する。洗浄装置４０における一連の動作は、図３のフローチャートに示す通りである。
概略的には、図１７に示すように、洗浄装置４０は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０１７１】
また、洗浄装置４０では、実施の形態２と同様に、超音波検知器１３での検知結果に基づき、制御器１４によって吸気制御器２１を制御する。
例えば、超音波検知器１３で検知された検知値がキャビテーション閾値よりも大きい場合には、微細気泡数を増やすために気体の吸気量を増加させる。また、例えば、超音波検知器１３で検知された検知値がキャビテーション閾値よりも小さい場合には、気体の吸気を間欠的に行い、洗浄に有効な微細気泡数が最も多くなるような間欠吸気のタイミングに調整する。すなわち、上記の例では、図３に示すフローチャートにおいて、洗浄装置４０は、ステップＳ１０３とステップＳ１０８とのいずれか一方、または両方において、気体供給源１８から微細気泡発生器１７に供給される気体の量および吸気タイミングの少なくとも一方を制御する。
これにより、洗浄液２中に発生する微細気泡の量、気泡径等を制御することができる。
【０１７２】
さらに、洗浄装置４０では、実施の形態３と同様に、超音波検知器１３での検知結果に基づき、洗浄物制御部３１を制御する。すなわち、図３に示すフローチャートにおけるステップＳ１０８において、洗浄装置４０は、保持器３３を駆動して洗浄物３の位置を制御する。これにより、気体性キャビテーションによる微細気泡の膨張収縮を用いて洗浄物３を洗浄する方法と、微細気泡の気液界面に汚れを吸着させて洗浄物３を洗浄する方法のうち、所望の洗浄方法を選択することができる。
すなわち、洗浄装置４０では、選択した洗浄方法に応じて、微細気泡の量、気泡径等を最適化することができる。
【０１７３】
なお、本実施の形態４においても、定在波の超音波エネルギーを阻害するような微細気泡の量は、洗浄液２の種類および温度、超音波周波数、微細気泡に含まれる気体の種類等の使用環境によって異なる。そのため、使用環境に適した吸気量、断続吸気等の各種パラメータは、実験等で予め調査しておくと好ましい。
【０１７４】
以上のように、本実施の形態４では、実施の形態２と同様に、吸気制御器２１によって洗浄液２中の微細気泡の量を調整するため、キャビテーションの発生が阻害されるのを防ぎ、洗浄物３に対する洗浄力を向上させることができる。
また、実施の形態３と同様に、洗浄物制御部３１の保持器３３によって洗浄物３を移動させて洗浄を行う。これにより、超音波８１の出力値または洗浄物３に付着する汚れの状態等に応じた適切な洗浄方法の選択、および洗浄物３の効率的かつ均一な洗浄等が可能となる。
【０１７５】
実施の形態５．
次に、本発明の実施の形態５に係る洗浄装置について説明する。
図１８は、本発明の実施の形態５に係る洗浄装置５０の構成の一例を示す概略図である。
この洗浄装置５０は、洗浄槽１０内に気泡検知器５１を備える点で、上述した実施の形態２と相違する。なお、以下の説明において、実施の形態１〜４と同様の箇所には同一の符号を付し、詳細な説明を省略する。
【０１７６】
［洗浄装置の構成］
図１８に示すように、洗浄装置５０は、洗浄槽１０、超音波発生器１１、超音波発振器１２、超音波検知器１３、制御器１４、ポンプ１５、フィルタ１６、微細気泡発生器１７、気体供給源１８、吸気制御器２１および気泡検知器５１を含んで構成される。
【０１７７】
気泡検知器５１は、洗浄槽１０内に設置され、制御線５２を介して制御器１４に接続される。気泡検知器５１は、洗浄槽１０内の洗浄液２中含まれる微細気泡の量、気泡径、気泡密度等の微細気泡の特性を検知する。
なお、気泡検知器５１は、例えば、微細気泡の量、気泡径、気泡密度等を同時にまたは少なくとも１つ以上検知できるものが用いられる。
【０１７８】
制御器１４は、超音波検知器１３で検知された超音波８１のエネルギー、音圧、周波数等の超音波８１に関する情報に基づく超音波発振器１２を制御するとともに、気泡検知器５１の検知結果に基づき、吸気制御器２１を制御する。
【０１７９】
［洗浄装置の動作］
次に、洗浄装置５０の動作について説明する。洗浄装置５０における一連の動作は、図３のフローチャートに示す通りである。
概略的には、図１８に示すように、洗浄装置５０は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０１８０】
また、洗浄装置５０では、気泡検知器５１で検知された微細気泡の量、気泡径、気泡密度等の検知結果に基づき、制御器１４によって吸気制御器２１を制御する。そして吸気制御器２１は、気体供給源１８から微細気泡発生器１７に供給される気体の量および吸気タイミングの少なくとも一方を制御する。これにより、洗浄槽１０内の洗浄液２に発生する微細気泡の量、気泡径等を制御することができる。
【０１８１】
この洗浄装置５０では、実施の形態２と同様に、定在波の腹位置８２で洗浄物３を洗浄する際に、洗浄液２中の微細気泡の量が気体性キャビテーションの発生を阻害する量とならないように、微細気泡発生器１７で発生させる微細気泡の量を制御する。
また、定在波の節位置８３で洗浄物３を洗浄する際には、洗浄液２中の微細気泡の量が蒸気性キャビテーションの発生を阻害する量とならないように、微細気泡発生器１７で発生させる微細気泡の量を制御する。すなわち、図３に示すフローチャートにおいて、洗浄装置５０は、ステップＳ１０３とステップＳ１０８とのいずれか一方、または両方において、気体供給源１８から微細気泡発生器１７に供給される気体の量および吸気タイミングの少なくとも一方を制御する。
【０１８２】
これにより、過剰な微細気泡に起因する超音波エネルギーの減衰を防ぎ、気体性キャビテーションまたは蒸気性キャビテーションを効率的に発生させることができ、洗浄物３に対する洗浄力を向上させることができる。
【０１８３】
また、洗浄装置５０では、気泡検知器５１を用いるため、実施の形態２に係る洗浄装置２０と比較して、洗浄液２中の微細気泡の量、気泡径等の検知精度を向上させることができる。
したがって、洗浄装置５０では、実施の形態２に係る洗浄装置２０と比較して、洗浄液２中に発生させる微細気泡の量や気泡径の制御の精度を向上させることができる。
【０１８４】
なお、本実施の形態５においても、実施の形態２と同様に、実施の形態１で説明した第１の方法または第２の方法を用いることにより、洗浄物３の設置位置に腹位置８２および節位置８３が含まれる場合における、洗浄物３の洗浄が可能である。
【０１８５】
また、定在波の超音波エネルギーを阻害するような微細気泡の量は、洗浄液２の種類および温度、超音波周波数、微細気泡に含まれる気体の種類等の使用環境によって異なる。そのため、使用環境に適した吸気量、断続吸気等の各種パラメータは、実験等で予め調査しておくと好ましい。
【０１８６】
以上のように、本実施の形態５では、気泡検知器５１を用いて洗浄液２中の微細気泡の量、気泡径等を検知し、検知結果に基づき、吸気制御器２１によって洗浄液２中の微細気泡の量を調整する。そのため、キャビテーションの発生が阻害されるのを防ぎ、洗浄物３に対する洗浄力を向上させることができる。
【０１８７】
また、気泡検知器５１を用いて洗浄液２中の微細気泡の量、気泡径等を検知するため、実施の形態２と比較して、微細気泡の量、気泡径等を検知する精度を向上させることができる。
【０１８８】
実施の形態６．
次に、本発明の実施の形態６に係る洗浄装置について説明する。
図１９は、本発明の実施の形態６に係る洗浄装置６０の構成の一例を示す概略図である。
この洗浄装置６０は、洗浄槽１０内に気泡検知器５１を備える点で、上述した実施の形態３と相違する。なお、以下の説明において、実施の形態１〜５と同様の箇所には同一の符号を付し、詳細な説明を省略する。
【０１８９】
［洗浄装置の構成］
図１９に示すように、洗浄装置６０は、洗浄槽１０、超音波発生器１１、超音波発振器１２、超音波検知器１３、制御器１４、ポンプ１５、フィルタ１６、微細気泡発生器１７、気体供給源１８、洗浄物制御部３１および気泡検知器５１を含んで構成される。
【０１９０】
［洗浄装置の動作］
次に、洗浄装置６０の動作について説明する。洗浄装置６０における一連の動作は、図３のフローチャートに示す通りである。
概略的には、図１９に示すように、洗浄装置６０は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０１９１】
また、洗浄装置６０では、実施の形態３と同様に、超音波検知器１３での検知結果に基づき、制御器１４によって洗浄物制御部３１を制御する。すなわち、図３に示すフローチャートにおけるステップＳ１０８において、洗浄装置６０は、保持器３３を駆動して洗浄物３の位置を制御する。これにより、気体性キャビテーションによる微細気泡の膨張収縮を用いて洗浄物３を洗浄する方法と、微細気泡の気液界面に汚れを吸着させて洗浄物３を洗浄する方法のうち、所望の洗浄方法を選択することができる。
【０１９２】
また、洗浄装置６０では、気泡検知器５１を超音波８１の進行方向と平行な方向に動かすことにより、定在波の節位置８３で捕捉された微細気泡の量、気泡径等を高精度で検知することができる。すなわち、図３に示すフローチャートにおけるステップＳ１０３あるいはステップＳ１０８において、洗浄装置６０は、微細気泡の量を制御する。
そのため、気泡検知器５１で検知された節位置８３における微細気泡量および気泡径の検知結果に基づき、超音波出力を調整することにより、定在波の腹位置８２で破砕される微細気泡の量および気泡径を制御することができる。
【０１９３】
例えば、気泡検知器５１で検知された節位置８３における微細気泡量を増量したい場合には、この検知結果に基づいて超音波出力をより高くする。これにより、定在波の腹位置８２で発生する蒸気性キャビテーションにより、微細気泡をより多く破砕することができ、微細気泡を増量することができる。
【０１９４】
なお、本実施の形態６においても、実施の形態１で説明した第１の方法または第２の方法を用いることにより、洗浄物３の設置位置に腹位置８２および節位置８３が含まれる場合における、洗浄物３の洗浄が可能である。
また、本実施の形態６では、洗浄物制御部３１を備えるため、実施の形態３と同様に、実施の形態１で説明した第１の方法または第２の方法を用いることなく、洗浄物３を洗浄することもできる。
【０１９５】
また、定在波の超音波エネルギーを阻害するような微細気泡の量は、洗浄液２の種類および温度、超音波周波数、微細気泡に含まれる気体の種類等の使用環境によって異なる。そのため、使用環境に適した吸気量、断続吸気等の各種パラメータは、実験等で予め調査しておくと好ましい。
【０１９６】
以上のように、本実施の形態６では、実施の形態３と同様に、洗浄物制御部３１の保持器３３によって洗浄物３を移動させて洗浄を行う。これにより、超音波８１の出力値または洗浄物３に付着する汚れの状態等に応じた適切な洗浄方法の選択、および洗浄物３の効率的かつ均一な洗浄等が可能となる。
【０１９７】
また、本実施の形態６では、気泡検知器５１を用いて定在波の節位置８３で捕捉された微細気泡の量、気泡径等を検知し、検知結果に基づいて超音波出力を調整する。これにより、定在波の腹位置８２で破砕される微細気泡の量および気泡径を制御することができる。
【０１９８】
実施の形態７．
次に、本発明の実施の形態７に係る洗浄装置について説明する。
図２０は、本発明の実施の形態７に係る洗浄装置７０の構成の一例を示す概略図である。
この洗浄装置７０は、洗浄槽１０内に気泡検知器５１を備える点で、上述した実施の形態４と相違する。なお、以下の説明において、実施の形態１〜６と同様の箇所には同一の符号を付し、詳細な説明を省略する。
【０１９９】
［洗浄装置の構成］
図２０に示すように、洗浄装置７０は、洗浄槽１０、超音波発生器１１、超音波発振器１２、超音波検知器１３、制御器１４、ポンプ１５、フィルタ１６、微細気泡発生器１７、気体供給源１８、吸気制御器２１、洗浄物制御部３１および気泡検知器５１を含んで構成される。
【０２００】
［洗浄装置の動作］
次に、洗浄装置７０の動作について説明する。洗浄装置７０における一連の動作は、図３のフローチャートに示す通りである。
概略的には、図２０に示すように、洗浄装置７０は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０２０１】
また、洗浄装置７０では、実施の形態４と同様に、超音波検知器１３での検知結果に基づき、制御器１４によって洗浄物制御部３１を制御する。すなわち、図３に示すフローチャートにおけるステップＳ１０３あるいはステップＳ１０８において、洗浄装置７０は、微細気泡の量あるいは吸気タイミング等を制御する。これにより、気体性キャビテーションによる微細気泡の膨張収縮を用いて洗浄物３を洗浄する方法と、微細気泡の気液界面に汚れを吸着させて洗浄物３を洗浄する方法のうち、所望の洗浄方法を選択することができる。
【０２０２】
さらに、洗浄装置７０では、気泡検知器５１で検知された微細気泡の量、気泡径、気泡密度等の検知結果に基づき、洗浄槽１０内の洗浄液２に発生する微細気泡の量、気泡径等を制御する。そのため、洗浄装置７０では、洗浄液２中の微細気泡の量、気泡径等の検知精度を向上させることができる。
【０２０３】
すなわち、洗浄装置７０では、選択した洗浄方法に応じて、微細気泡の量、気泡径等を最適化することができる。このとき、洗浄装置７０は、気泡検知器５１を用いて洗浄液２中の微細気泡の量、気泡径等を検知するため、実施の形態４と比較して、微細気泡の量、気泡径等の調整制度を向上させることができる。
【０２０４】
なお、本実施の形態７においても、定在波の超音波エネルギーを阻害するような微細気泡の量は、洗浄液２の種類および温度、超音波周波数、微細気泡に含まれる気体の種類等の使用環境によって異なる。そのため、使用環境に適した吸気量、断続吸気等の各種パラメータは、実験等で予め調査しておくと好ましい。
【０２０５】
以上のように、本実施の形態７では、気泡検知器５１を用いて検知した洗浄液２中の微細気泡の量、気泡径等に基づき、洗浄液２中の微細気泡の量を調整する。そのため、キャビテーションの発生が阻害されるのを防ぎ、洗浄物３に対する洗浄力を向上させることができる。
また、気泡検知器５１を用いて洗浄液２中の微細気泡の量、気泡径等を検知するため、実施の形態４と比較して、微細気泡の量、気泡径等を検知する精度を向上させることができる。
【０２０６】
さらに、実施の形態４と同様に、洗浄物制御部３１の保持器３３によって洗浄物３を移動させて洗浄を行うことにより、超音波８１の出力値または洗浄物３に付着する汚れの状態等に応じた適切な洗浄方法の選択、および洗浄物３の効率的かつ均一な洗浄等が可能となる。
【０２０７】
実施の形態８．
次に、本発明の実施の形態８に係る洗浄装置について説明する。
図２１は、本発明の実施の形態８に係る洗浄装置８９の構成の一例を示す概略図である。
この洗浄装置８９は、洗浄槽１０内に設けられ、信号線８６を通して制御器１４に接続される温度検知器８５と、液配管６に設けられ、制御線８７を通して制御器１４が接続される温度制御器８８とを備える点で、上述した実施の形態７と相違する。なお、以下の説明において、実施の形態１〜７と同様の箇所には同一の符号を付し、詳細な説明を省略する。
【０２０８】
［洗浄装置の構成］
図２１に示すように、洗浄装置８９は、洗浄槽１０、超音波発生器１１、超音波発振器１２、超音波検知器１３、制御器１４、ポンプ１５、フィルタ１６、微細気泡発生器１７、気体供給源１８、吸気制御器２１、洗浄物制御部３１、気泡検知器５１、温度検知器８５および温度制御器８８を含んで構成される。
【０２０９】
［洗浄装置の動作］
次に、洗浄装置８９の動作について説明する。洗浄装置８９における一連の動作は、図３に示すフローチャートに示す通りである。
概略的には、図２１に示すように、洗浄装置８９は、超音波発生器１１から超音波８１を照射することにより、洗浄槽１０内の洗浄液２中に定在波を形成する。次に、洗浄物３が設置された位置における定在波のエネルギー、音圧等を超音波検知器１３で検知する。そして、検知結果が示す超音波８１に関する情報に基づき、制御器１４で超音波発振器１２を制御し、超音波発生器１１から発生する超音波８１の出力を調整する。
【０２１０】
また、洗浄装置８９では、実施の形態７と同様に、超音波検知器１３での検知結果に基づき、制御器１４によって洗浄物制御部３１を制御する。すなわち、図３に示すフローチャートにおけるステップＳ１０３あるいはステップＳ１０８において、洗浄装置８９は、微細気泡の量あるいは吸気タイミング等を制御する。これにより、気体性キャビテーションによる微細気泡の膨張収縮を用いて洗浄物３を洗浄する方法と、微細気泡の気液界面に汚れを吸着させて洗浄物３を洗浄する方法のうち、所望の洗浄方法を選択することができる。
【０２１１】
さらに、洗浄装置８９では、気泡検知器５１で検知された微細気泡の量、気泡径、気泡密度等の検知結果に基づき、洗浄槽１０内の洗浄液２に発生する微細気泡の量、気泡径等を制御する。そのため、洗浄装置８９では、洗浄液２中の微細気泡の量、気泡径等の検知精度を向上させることができる。
【０２１２】
さらにまた、洗浄装置８９では、温度検知器８５で検知された洗浄液２の温度の検知結果に基づき、洗浄槽１０内の洗浄液２の温度を、制御器１４を通して温度制御器８８により制御する。そのため、洗浄装置８９では、洗浄液２の温度変化に応じて、微細気泡の量および気泡径等を制御することができる。また、洗浄装置８９では、洗浄液２の温度に応じて超音波８１の超音波周波数や超音波出力を制御することができる。
【０２１３】
また、洗浄装置８９では、洗浄物３に付着する汚れに応じて洗浄液２の温度を制御して、洗浄力を向上させることができる。さらに、洗浄液２の温度を制御することで、微細気泡の発生量、気泡径、および超音波８１によるキャビテーション強度を調整することができる。
【０２１４】
すなわち、洗浄装置８９では、選択した洗浄方法に応じて、洗浄液２の温度を最適化することができる。このとき、洗浄装置８９は、温度検知器８５を用いて洗浄液２の温度を検知するため、実施の形態７と比較して、微細気泡の量、気泡径、および超音波８１によるキャビテーション強度等の調整精度を向上させることができる。
【０２１５】
図３に示すフローチャートにおいて、洗浄装置８９は、ステップＳ１０３およびステップＳ１０８の少なくとも１つ以上のステップで洗浄液２の温度を制御する。また、洗浄液２の温度を制御する際には、洗浄性能を安定化させるために、ステップＳ１０１の洗浄開始からステップＳ１０９の洗浄終了まで連続的に洗浄液２の温度を制御することが好ましい。
【０２１６】
なお、本実施の形態８においても、定在波の超音波エネルギーを阻害するような微細気泡の量は、洗浄液２の種類および温度、超音波周波数、微細気泡に含まれる気体の種類等の使用環境によって異なる。そのため、使用環境に適した吸気量、断続吸気等の各種パラメータは、実験等で予め調査しておくと好ましい。
【０２１７】
以上のように、本実施の形態８では、温度検知器８５を用いて検知した洗浄液２の温度に基づき、洗浄液２の温度を調整する。そのため、洗浄液２の温度変化によってキャビテーションの発生が阻害されるのを防ぎ、洗浄物３に対する洗浄力を向上させることができる。また、本実施の形態８では、温度検知器８５を用いて洗浄液２の温度を検知するため、実施の形態７と比較して、洗浄液２中の微細気泡の量、気泡径等を調整する精度を向上させることができる。
【０２１８】
さらに、実施の形態７と同様に、洗浄物制御部３１の保持器３３によって洗浄物３を移動させて洗浄を行うことにより、超音波８１の出力値または洗浄物３に付着する汚れの状態等に応じた適切な洗浄方法の選択、および洗浄物３の効率的かつ均一な洗浄等が可能となる。
【０２１９】
以上、本発明の実施の形態１〜８について説明したが、本発明は、上述した本発明の実施の形態１〜８に限定されるものではなく、本発明の要旨を逸脱しない範囲内で様々な変形や応用が可能である。
【０２２０】
例えば、超音波発生器１１から照射される超音波８１は、連続的に発振するものに限られず、例えば、発振および停止を繰り返して断続的に発振するものであってもよい。また、超音波８１は、周波数変調または振幅変調等のように、変調されたものであってもよい。
【０２２１】
さらに、洗浄槽１０は、洗浄液２を貯留可能な貯液型のものに限られず、例えば、内部の洗浄液２によって洗浄物３を洗浄可能であれば、例えばオーバーフロー型、カスケード型等の各種の洗浄槽が適用可能である。
【０２２２】
さらにまた、使用する洗浄液２は、特に限定されない。例えば、水をはじめとして、炭化水素系、溶剤系または酸化剤などを含む洗浄液、酸、アルカリまたは中性の洗浄剤を添加したもの、あるいは界面活性剤または薬剤などを添加したもの等、各種の洗浄液を使用することができる。
【０２２３】
さらに、微細気泡発生器１７から発生する微細気泡に含まれる気体の種類は、特に限定されない。例えば、空気をはじめとして、オゾン、酸素、窒素、二酸化炭素、水素などの各種の単一気体、あるいは複数種類からなる気体等を用いることができる。
【０２２４】
さらにまた、実施の形態１、３および６において、気体供給源１８から微細気泡発生器１７への気体の吸気量は、特別な制御を行うことなく自然な吸気量としたが、これはこの例に限られない。例えば、洗浄液２の種類または温度等の使用環境、洗浄物３の特性等に応じて、洗浄力が向上するように、吸気量を適切に設定してもよい。
【符号の説明】
【０２２５】
１、２０、３０、４０、５０、６０、７０、８９、２００、３００、４００  洗浄装置、２、９２  洗浄液、３、３ａ、３ｂ  洗浄物、４  超音波出力線、５  制御線、２２、３４、５２  制御線、６、９６  液配管、７、９７  吸気管、１０、９１  洗浄槽、１１、９３  超音波発生器、１２  超音波発振器、１３  超音波検知器、１４  制御器、１５、９４  ポンプ、１０１  ポンプ、１６  フィルタ、１７、９５  微細気泡発生器、１８  気体供給源、２１  吸気制御器、３１  洗浄物制御部、３２  位置制御器、３３  保持器、５１  気泡検知器、８０  液面、８１  超音波、８２  腹位置、８３  節位置、８５  温度検知器、８６  信号線、８７  制御線、８８  温度制御器、９０  検証装置、１００  スリット、１０２  管、２０１  生物処理槽、２０２  活性汚泥、２０３  被処理水導入配管、２０４、２１３  気体導入管、２０５  散気装置、２０６  分離膜、２０７  透過水移送配管、２０８  洗浄水注入装置、２０９  洗浄水注入配管、２１０  処理水排水口、２１１、２１４  流路切換器、２１２  気体量制御器。
【図１】
2017104194.tif 000003
【図２】
2017104194.tif 000004
【図３】
2017104194.tif 000005
【図４】
2017104194.tif 000006
【図５】
2017104194.tif 000007
【図６】
2017104194.tif 000008
【図７】
2017104194.tif 000009
【図８】
2017104194.tif 000010
【図９】
2017104194.tif 000011
【図１０】
2017104194.tif 000012
【図１１】
2017104194.tif 000013
【図１２】
2017104194.tif 000014
【図１３】
2017104194.tif 000015
【図１４】
2017104194.tif 000016
【図１５】
2017104194.tif 000017
【図１６】
2017104194.tif 000018
【図１７】
2017104194.tif 000019
【図１８】
2017104194.tif 000020
【図１９】
2017104194.tif 000021
【図２０】
2017104194.tif 000022
【図２１】
2017104194.tif 000023
【手続補正書】
【提出日】平成29年3月23日(2017.3.23)
【手続補正１】
【補正対象書類名】明細書
【補正対象項目名】００１６
【補正方法】変更
【補正の内容】
【００１６】
本発明の洗浄装置は、洗浄液を貯留する洗浄槽内の前記洗浄液の液面と前記洗浄槽の底面との間に設置された洗浄物を、超音波を用いて洗浄する洗浄装置において、前記洗浄槽内に前記超音波を出力する超音波発生器と、気泡を発生し、前記気泡を前記洗浄液に付加する気泡発生器と、前記洗浄槽内に出力された前記超音波を検知する検知器と、前記超音波の出力値を、気体性キャビテーションが生じる第１出力値と蒸気性キャビテーションが生じる第２出力値との間で切り替える制御を行う制御器とを備え、前記超音波発生器は、前記第２出力値を有する前記超音波を前記気泡発生器が付加した前記気泡に対して出力し、前記検知器の検出結果に基づいた前記制御器の制御に基づき、前記超音波の出力値を前記第２出力値から切り替え、前記第１出力値を有する前記超音波を前記洗浄物に対して出力するものである。
【手続補正２】
【補正対象書類名】明細書
【補正対象項目名】００１７
【補正方法】変更
【補正の内容】
【００１７】
また、本発明の洗浄方法は、洗浄液を貯留する洗浄槽内の前記洗浄液の液面と前記洗浄槽の底面との間に設置された洗浄物を、超音波を用いて洗浄する洗浄方法において、前記洗浄槽内に前記超音波を出力する超音波発生ステップと、気泡を発生し、前記気泡を前記洗浄液に付加する気泡発生ステップと、前記洗浄槽内に出力された前記超音波を検知する検知ステップと、前記超音波の出力値を、気体性キャビテーションが生じる第１出力値に設定する第１設定ステップと、前記超音波の出力値を、蒸気性キャビテーションが生じる第２出力値に設定する第２設定ステップと、前記第２出力値を有する前記超音波を前記気泡に対して出力する第１出力ステップと、前記検知ステップにおける検知結果に基づき、設定した前記第２出力値を前記第１出力値に切り替える切り替えステップと、前記第１出力値を有する前記超音波を前記洗浄物に対して出力する第２出力ステップとを有するものである。
【手続補正３】
【補正対象書類名】明細書
【補正対象項目名】００１８
【補正方法】変更
【補正の内容】
【００１８】
さらに、本発明の膜分離バイオリアクタは、処理槽で処理される被処理水を分離膜で分離する膜分離バイオリアクタにおいて、気泡を発生して前記分離膜に散気を行う散気器と、前記処理槽内に超音波を出力する超音波発生器と、前記処理槽内に出力された前記超音波を検知する検知器と、前記超音波の出力値を、気体性キャビテーションが生じる第１出力値と蒸気性キャビテーションが生じる第２出力値との間で切り替える制御を行う制御器とを備え、前記超音波発生器は、前記第２出力値を有する前記超音波を前記気泡に対して出力し、前記検知器の検出結果に基づいた前記制御器の制御に基づき、前記超音波の出力値を前記第２出力値から切り替え、前記第１出力値を有する前記超音波を前記分離膜に対して出力するものである。
【手続補正４】
【補正対象書類名】特許請求の範囲
【補正対象項目名】全文
【補正方法】変更
【補正の内容】
【特許請求の範囲】
【請求項１】
洗浄液を貯留する洗浄槽内の前記洗浄液の液面と前記洗浄槽の底面との間に設置された洗浄物を、超音波を用いて洗浄する洗浄装置において、
前記洗浄槽内に前記超音波を出力する超音波発生器と、
気泡を発生し、前記気泡を前記洗浄液に付加する気泡発生器と、
前記洗浄槽内に出力された前記超音波を検知する検知器と、
前記超音波の出力値を、気体性キャビテーションが生じる第１出力値と蒸気性キャビテーションが生じる第２出力値との間で切り替える制御を行う制御器と
を備え、
前記超音波発生器は、
前記第２出力値を有する前記超音波を前記気泡発生器が付加した前記気泡に対して出力し、
前記検知器の検出結果に基づいた前記制御器の制御に基づき、前記超音波の出力値を前記第２出力値から切り替え、前記第１出力値を有する前記超音波を前記洗浄物に対して出力する
洗浄装置。
【請求項２】
前記検知器は、
前記超音波の定在波の腹位置および節位置を検知し、
前記制御器は、
前記腹位置における前記超音波の特性によって、前記超音波発生器の出力を制御する
請求項１に記載の洗浄装置。
【請求項３】
前記制御器は、
設定時間だけ、前記超音波の出力を前記第２出力値に設定し、
前記設定時間の経過後に、前記超音波の出力を前記第１出力値に設定し、
前記超音波の周波数を設定して前記定在波の前記腹位置および前記節位置を変位させる
請求項１に記載の洗浄装置。
【請求項４】
前記第１出力値は、前記超音波の定在波の腹位置において蒸気性キャビテーションが発生する出力値を示す閾値以下の値であり、
前記第２出力値は、前記第１出力値より大きく、かつ、前記閾値より大きい値である
請求項１〜３のいずれか一項に記載の洗浄装置。
【請求項５】
前記制御器によって制御され、前記気泡発生器により生成される前記気泡の量および気泡径の少なくとも一方を制御する吸気制御器をさらに備え、
前記制御器は、
前記検知器で検知された前記超音波の特性に基づき、前記吸気制御器を制御して生成される前記気泡の量および前記気泡径の少なくとも一方を制御する
請求項１〜４のいずれか一項に記載の洗浄装置。
【請求項６】
前記洗浄液は、酸化剤を含有する
請求項１〜５のいずれか一項に記載の洗浄装置。
【請求項７】
前記洗浄物を保持する保持器と、
前記制御器によって制御され、前記保持器に保持された前記洗浄物の前記洗浄槽内における位置を、前記超音波の進行方向と平行な方向、および前記超音波の進行方向と垂直な方向のうち、少なくともいずれか一方を含む方向に移動可能に制御する位置制御器と
を有する洗浄物制御部をさらに備える
請求項１〜６のいずれか一項に記載の洗浄装置。
【請求項８】
前記制御器は、
前記検知器で検知された前記超音波の特性に基づき、前記定在波の前記腹位置を検知し、
前記保持器に保持された前記洗浄物の位置が前記腹位置となるように前記位置制御器を制御するとともに、前記超音波の出力を前記第１出力値に設定する
ことを特徴とする請求項７に記載の洗浄装置。
【請求項９】
前記制御器は、
前記検知器で検知された前記超音波の特性に基づき、前記定在波の前記節位置を検知し、
前記保持器に保持された前記洗浄物の位置が前記節位置となるように前記位置制御器を制御するとともに、前記超音波の出力を前記第２出力値に設定する
ことを特徴とする請求項７に記載の洗浄装置。
【請求項１０】
前記洗浄液に付加された前記気泡の特性を検知する気泡検知器をさらに備え、
前記制御器は、
前記気泡検知器によって検知された前記気泡の特性に基づき、前記気泡発生器により生成される前記気泡の量および気泡径の少なくとも一方を制御する
請求項５〜９のいずれか一項に記載の洗浄装置。
【請求項１１】
前記洗浄液の液温を検知する温度検知器をさらに備え、
前記制御器は、
前記温度検知器によって検知された前記洗浄液の温度に基づき、前記洗浄液の温度を制御する
請求項５〜１０のいずれか一項に記載の洗浄装置。
【請求項１２】
洗浄液を貯留する洗浄槽内の前記洗浄液の液面と前記洗浄槽の底面との間に設置された洗浄物を、超音波を用いて洗浄する洗浄方法において、
前記洗浄槽内に前記超音波を出力する超音波発生ステップと、
気泡を発生し、前記気泡を前記洗浄液に付加する気泡発生ステップと、
前記洗浄槽内に出力された前記超音波を検知する検知ステップと、
前記超音波の出力値を、気体性キャビテーションが生じる第１出力値に設定する第１設定ステップと、
前記超音波の出力値を、蒸気性キャビテーションが生じる第２出力値に設定する第２設定ステップと、
前記第２出力値を有する前記超音波を前記気泡に対して出力する第１出力ステップと、
前記検知ステップにおける検知結果に基づき、設定した前記第２出力値を前記第１出力値に切り替える切り替えステップと、
前記第１出力値を有する前記超音波を前記洗浄物に対して出力する第２出力ステップと
を有する
洗浄方法。
【請求項１３】
処理槽で処理される被処理水を分離膜で分離する膜分離バイオリアクタにおいて、
気泡を発生して前記分離膜に散気を行う散気器と、
前記処理槽内に超音波を出力する超音波発生器と、
前記処理槽内に出力された前記超音波を検知する検知器と、
前記超音波の出力値を、気体性キャビテーションが生じる第１出力値と蒸気性キャビテーションが生じる第２出力値との間で切り替える制御を行う制御器と
を備え、
前記超音波発生器は、
前記第２出力値を有する前記超音波を前記気泡に対して出力し、
前記検知器の検出結果に基づいた前記制御器の制御に基づき、前記超音波の出力値を前記第２出力値から切り替え、前記第１出力値を有する前記超音波を前記分離膜に対して出力する
膜分離バイオリアクタ。
【手続補正書】
【提出日】平成29年8月14日(2017.8.14)
【手続補正１】
【補正対象書類名】明細書
【補正対象項目名】００１６
【補正方法】変更
【補正の内容】
【００１６】
本発明の洗浄装置は、洗浄液を貯留する洗浄槽内の前記洗浄液の液面と前記洗浄槽の底面との間に設置された洗浄物を、超音波を用いて洗浄する洗浄装置において、前記洗浄槽内に前記超音波を出力する超音波発生器と、気泡を発生し、前記気泡を前記洗浄液に付加する気泡発生器と、前記洗浄槽内に出力された前記超音波を検知する検知器と、前記超音波の出力値を、気体性キャビテーションが生じる第１出力値と蒸気性キャビテーションが生じる第２出力値との間で切り替える制御を行う制御器とを備え、前記制御器は、前記第１出力値と前記第２出力値との境界値であるキャビテーション閾値を記憶し、前記キャビテーション閾値と前記検知器による前記超音波の検知値との比較結果に基づき、前記超音波の出力値を決定し、前記超音波発生器は、前記第２出力値を有する前記超音波を前記気泡発生器が付加した前記気泡に対して出力し、前記検知器の検出結果に基づいた前記制御器の制御に基づき、前記超音波の出力値を前記第２出力値から切り替え、前記第１出力値を有する前記超音波を前記洗浄物に対して出力するものである。
【手続補正２】
【補正対象書類名】明細書
【補正対象項目名】００１７
【補正方法】変更
【補正の内容】
【００１７】
また、本発明の洗浄方法は、洗浄液を貯留する洗浄槽内の前記洗浄液の液面と前記洗浄槽の底面との間に設置された洗浄物を、超音波を用いて洗浄する洗浄方法において、前記洗浄槽内に前記超音波を出力する超音波発生ステップと、気泡を発生し、前記気泡を前記洗浄液に付加する気泡発生ステップと、前記洗浄槽内に出力された前記超音波を検知する検知ステップと、気体性キャビテーションが生じる第１出力値と蒸気性キャビテーションが生じる第２出力値との境界値であるキャビテーション閾値と、前記検知ステップによる前記超音波の検知値との比較結果に基づき、前記超音波の出力値を決定する出力値決定ステップと、前記超音波の出力値を、前記第１出力値に設定する第１設定ステップと、前記超音波の出力値を、前記第２出力値に設定する第２設定ステップと、前記第２出力値を有する前記超音波を前記気泡に対して出力する第１出力ステップと、前記検知ステップにおける検知結果に基づき、設定した前記第２出力値を前記第１出力値に切り替える切り替えステップと、前記第１出力値を有する前記超音波を前記洗浄物に対して出力する第２出力ステップとを有するものである。
【手続補正３】
【補正対象書類名】明細書
【補正対象項目名】００１８
【補正方法】変更
【補正の内容】
【００１８】
さらに、本発明の膜分離バイオリアクタは、処理槽で処理される被処理水を分離膜で分離する膜分離バイオリアクタにおいて、気泡を発生して前記分離膜に散気を行う散気器と、前記処理槽内に超音波を出力する超音波発生器と、前記処理槽内に出力された前記超音波を検知する検知器と、前記超音波の出力値を、気体性キャビテーションが生じる第１出力値と蒸気性キャビテーションが生じる第２出力値との間で切り替える制御を行う制御器とを備え、前記制御器は、前記第１出力値と前記第２出力値との境界値であるキャビテーション閾値を記憶し、前記キャビテーション閾値と前記検知器による前記超音波の検知値との比較結果に基づき、前記超音波の出力値を決定し、前記超音波発生器は、前記第２出力値を有する前記超音波を前記気泡に対して出力し、前記検知器の検出結果に基づいた前記制御器の制御に基づき、前記超音波の出力値を前記第２出力値から切り替え、前記第１出力値を有する前記超音波を前記分離膜に対して出力するものである。
【手続補正４】
【補正対象書類名】特許請求の範囲
【補正対象項目名】全文
【補正方法】変更
【補正の内容】
【特許請求の範囲】
【請求項１】
洗浄液を貯留する洗浄槽内の前記洗浄液の液面と前記洗浄槽の底面との間に設置された洗浄物を、超音波を用いて洗浄する洗浄装置において、
前記洗浄槽内に前記超音波を出力する超音波発生器と、
気泡を発生し、前記気泡を前記洗浄液に付加する気泡発生器と、
前記洗浄槽内に出力された前記超音波を検知する検知器と、
前記超音波の出力値を、気体性キャビテーションが生じる第１出力値と蒸気性キャビテーションが生じる第２出力値との間で切り替える制御を行う制御器と
を備え、
前記制御器は、
前記第１出力値と前記第２出力値との境界値であるキャビテーション閾値を記憶し、
前記キャビテーション閾値と前記検知器による前記超音波の検知値との比較結果に基づき、前記超音波の出力値を決定し、
前記超音波発生器は、
前記第２出力値を有する前記超音波を前記気泡発生器が付加した前記気泡に対して出力し、
前記検知器の検出結果に基づいた前記制御器の制御に基づき、前記超音波の出力値を前記第２出力値から切り替え、前記第１出力値を有する前記超音波を前記洗浄物に対して出力する
洗浄装置。
【請求項２】
前記検知器は、
前記超音波の定在波の腹位置および節位置を検知し、
前記制御器は、
前記腹位置における前記超音波の特性によって、前記超音波発生器の出力を制御する
請求項１に記載の洗浄装置。
【請求項３】
前記制御器は、
設定時間だけ、前記超音波の出力を前記第２出力値に設定し、
前記設定時間の経過後に、前記超音波の出力を前記第１出力値に設定し、
前記超音波の周波数を設定して前記定在波の前記腹位置および前記節位置を変位させる
請求項２に記載の洗浄装置。
【請求項４】
前記第１出力値は、前記超音波の定在波の腹位置において蒸気性キャビテーションが発生する出力値を示す閾値以下の値であり、
前記第２出力値は、前記第１出力値より大きく、かつ、前記閾値より大きい値である
請求項１〜３のいずれか一項に記載の洗浄装置。
【請求項５】
前記制御器によって制御され、前記気泡発生器により生成される前記気泡の量および気泡径の少なくとも一方を制御する吸気制御器をさらに備え、
前記制御器は、
前記検知器で検知された前記超音波の特性に基づき、前記吸気制御器を制御して生成される前記気泡の量および前記気泡径の少なくとも一方を制御する
請求項１〜４のいずれか一項に記載の洗浄装置。
【請求項６】
前記洗浄液は、酸化剤を含有する
請求項１〜５のいずれか一項に記載の洗浄装置。
【請求項７】
前記洗浄物を保持する保持器と、
前記制御器によって制御され、前記保持器に保持された前記洗浄物の前記洗浄槽内における位置を、前記超音波の進行方向と平行な方向、および前記超音波の進行方向と垂直な方向のうち、少なくともいずれか一方を含む方向に移動可能に制御する位置制御器と
を有する洗浄物制御部をさらに備える
請求項１〜６のいずれか一項に記載の洗浄装置。
【請求項８】
前記制御器は、
前記検知器で検知された前記超音波の特性に基づき、前記超音波の定在波の腹位置を検知し、
前記保持器に保持された前記洗浄物の位置が前記腹位置となるように前記位置制御器を制御するとともに、前記超音波の出力を前記第１出力値に設定する
ことを特徴とする請求項７に記載の洗浄装置。
【請求項９】
前記制御器は、
前記検知器で検知された前記超音波の特性に基づき、前記超音波の定在波の節位置を検知し、
前記保持器に保持された前記洗浄物の位置が前記節位置となるように前記位置制御器を制御するとともに、前記超音波の出力を前記第２出力値に設定する
ことを特徴とする請求項７に記載の洗浄装置。
【請求項１０】
前記洗浄液に付加された前記気泡の特性を検知する気泡検知器をさらに備え、
前記制御器は、
前記気泡検知器によって検知された前記気泡の特性に基づき、前記気泡発生器により生成される前記気泡の量および気泡径の少なくとも一方を制御する
請求項５〜９のいずれか一項に記載の洗浄装置。
【請求項１１】
前記洗浄液の液温を検知する温度検知器をさらに備え、
前記制御器は、
前記温度検知器によって検知された前記洗浄液の温度に基づき、前記洗浄液の温度を制御する
請求項５〜１０のいずれか一項に記載の洗浄装置。
【請求項１２】
洗浄液を貯留する洗浄槽内の前記洗浄液の液面と前記洗浄槽の底面との間に設置された洗浄物を、超音波を用いて洗浄する洗浄方法において、
前記洗浄槽内に前記超音波を出力する超音波発生ステップと、
気泡を発生し、前記気泡を前記洗浄液に付加する気泡発生ステップと、
前記洗浄槽内に出力された前記超音波を検知する検知ステップと、
気体性キャビテーションが生じる第１出力値と蒸気性キャビテーションが生じる第２出力値との境界値であるキャビテーション閾値と、前記検知ステップによる前記超音波の検知値との比較結果に基づき、前記超音波の出力値を決定する出力値決定ステップと、
前記超音波の出力値を、前記第１出力値に設定する第１設定ステップと、
前記超音波の出力値を、前記第２出力値に設定する第２設定ステップと、
前記第２出力値を有する前記超音波を前記気泡に対して出力する第１出力ステップと、
前記検知ステップにおける検知結果に基づき、設定した前記第２出力値を前記第１出力値に切り替える切り替えステップと、
前記第１出力値を有する前記超音波を前記洗浄物に対して出力する第２出力ステップと
を有する
洗浄方法。
【請求項１３】
処理槽で処理される被処理水を分離膜で分離する膜分離バイオリアクタにおいて、
気泡を発生して前記分離膜に散気を行う散気器と、
前記処理槽内に超音波を出力する超音波発生器と、
前記処理槽内に出力された前記超音波を検知する検知器と、
前記超音波の出力値を、気体性キャビテーションが生じる第１出力値と蒸気性キャビテーションが生じる第２出力値との間で切り替える制御を行う制御器と
を備え、
前記制御器は、
前記第１出力値と前記第２出力値との境界値であるキャビテーション閾値を記憶し、
前記キャビテーション閾値と前記検知器による前記超音波の検知値との比較結果に基づき、前記超音波の出力値を決定し、
前記超音波発生器は、
前記第２出力値を有する前記超音波を前記気泡に対して出力し、
前記検知器の検出結果に基づいた前記制御器の制御に基づき、前記超音波の出力値を前記第２出力値から切り替え、前記第１出力値を有する前記超音波を前記分離膜に対して出力する
膜分離バイオリアクタ。
【国際調査報告】
2017104194.tif 000024
2017104194.tif 000025
2017104194.tif 000026
2017104194.tif 000027